(57)【特許請求の範囲】
【請求項１】
回転する表面に可視像を担持する複数の像担持体と、それら像担持体を駆動するための複数の駆動源と、それら像担持体の回転軸線上でそれぞれ個別に回転しながら何れかの該駆動源からの駆動力を該像担持体に伝達する複数の駆動伝達回転部材と、画像情報に基づいてそれぞれの像担持体に可視像を形成する可視像形成手段と、それぞれの像担持体との対向位置を順次通過するように表面を無端移動させる無端移動体と、それぞれの像担持体の表面に形成された可視像を、該無端移動体の表面に保持される記録体に転写するか、あるいは該無端移動体の表面に転写した後に記録体に転写する転写手段と、該無端移動体上の可視像を検知する像検知手段と、予め定められた可視像をそれぞれの像担持体に形成して該無端移動体の表面に転写することでそれら可視像からなる位置ズレ検知用画像を得た後、該像検知手段による該位置ズレ検知用画像内の各可視像の検知タイミング基づいてそれぞれの像担持体に対する可視像形成タイミングを調整して、それぞれの像担持体から該無端移動体又は記録体への可視像の重ね合わせズレを低減するタイミング調整制御を実施する制御手段とを備える画像形成装置において、
上記複数の像担持体のそれぞれについて、所定の回転角度になったことを検知する回転角度検知手段を設け、
上記タイミング調整制御を実施した後、上記複数の駆動源をそれぞれ予め定められた基準タイミングで停止してから、それら駆動源を再駆動し、
その後に、上記複数の像担持体の何れか１つである基準像担持体についての該回転角度検知手段による検知結果に基づいて、予め定められた複数の可視像からなる速度変動検知用画像を該基準像担持体の表面に形成するタイミングを決定し、且つ該検知結果に基づいて、予め定められた複数の可視像からなる速度変動検知用画像を該基準像担持体とは異なる他の像担持体の表面に形成するタイミングを決定し、該基準像担持体の表面上に形成した速度変動検知用画像と、該他の像担持体の表面上に形成した速度変動検知用画像とを、上記無端移動体の表面に対して表面移動方向と直交する方向に並べて転写し、それら速度変動検知用画像の各可視像を上記像検知手段によって検知したタイミングと、該基準像担持体についての該回転角度検知手段による検知結果と、該他の像担持体についての該回転角度検知手段による検知結果とに基づいて、該基準像担持体と該他の像担持体とについてそれぞれ像担持体表面の１回転あたりにおける速度変動パターンを検出する変動パターン検出制御と、
それら速度変動パターンの位相ズレに基づいて、該他の像担持体を駆動するための上記駆動源の駆動停止タイミングを決定し、該駆動源を駆動停止タイミングで停止させることで、該他の像担持体の速度変動パターンの位相を予め調整する位相調整制御とを順に実施し、
更に、上記複数の駆動源を再駆動してから、該タイミング調整制御を再び実施するように、上記制御手段を構成したことを特徴とする画像形成装置。
【請求項２】
請求項１の画像形成装置において、
上記速度変動パターン検出制御を実施した後、上記複数の像担持体にそれぞれ対応する複数の上記速度変動パターンに基づいて上記複数の駆動源についてそれぞれ像担持体表面の速度変動を低減し得る駆動速度パターンを決定する駆動速度パターン決定制御を実施し、その後に、上記位相調整制御を実施するように、上記制御手段を構成したことを特徴とする画像形成装置。
【請求項３】
請求項１又は２の画像形成装置において、
上記複数の駆動源についてそれぞれ、それに対応する上記位置ズレ検知用画像内の各可視像の検知タイミングに基づいて、上記画像情報に基づく可視像を形成する際における駆動速度を個別に設定する速度設定制御を実施するように、上記制御手段を構成したことを特徴とする画像形成装置。
【請求項４】
請求項３の画像形成装置において、
上記変動パターン検出制御を実施するときには、上記複数の駆動源をそれぞれ同じ駆動速度で駆動するように、上記制御手段を構成したことを特徴とする画像形成装置。
【請求項５】
請求項１乃至４の何れかの画像形成装置において、
上記像検知手段からの出力信号に直交検波処理を施して上記速度変動パターンを解析するように、上記制御手段を構成したことを特徴とする画像形成装置。
【請求項６】
請求項１の画像形成装置において、
上記複数の像担持体のそれぞれ、又は上記複数の駆動伝達回転部材のそれぞれ、について脱着が行われたことを検知する脱着検知手段を設け、該脱着検知手段によって脱着が検知された場合に、上記タイミング調整制御と、上記変動パターン検出制御と、上記位相調整制御と、上記タイミング調整制御とを順に実施するように、上記制御手段を構成したことを特徴とする画像形成装置。
【請求項７】
請求項２の画像形成装置において、
上記複数の像担持体のそれぞれ、又は上記複数の駆動伝達回転部材のそれぞれ、について脱着が行われたことを検知する脱着検知手段を設け、該脱着検知手段によって脱着が検知された場合に、上記タイミング調整制御と、上記変動パターン検出制御と、駆動速度パターン決定制御と、上記位相調整制御と、上記タイミング調整制御とを順に実施するように、上記制御手段を構成したことを特徴とする画像形成装置。
【請求項８】
請求項６又は７の画像形成装置において、
上記脱着検知手段として、脱着検知後に装着されている上記像担持体又は駆動伝達回転部材について、脱着検知前と同じものであるか否かを判定可能なものを用いたことを特徴とする画像形成装置。
【請求項９】
請求項８の画像形成装置において、
脱着検知後に装着されている上記像担持体又は駆動伝達回転部材について、脱着検知前と同じものでないと上記脱着検知手段に判定された場合には、上記複数の像担持体に対してそれぞれ、予め定められた可視像を形成して上記無端移動体の表面に転写して作像性能検知用画像を得た後、上記像検知手段によるそれら作像性能検知用画像の検知結果に基づいて上記可視像形成手段の作像条件を調整する作像条件調整制御を実施するように、上記制御手段を構成したことを特徴とする画像形成装置。
【請求項１０】
請求項１の画像形成装置において、
画像形成装置本体の筺体として、上記複数の像担持体のそれぞれ、又は上記複数の駆動伝達回転部材のそれぞれ、を筺体内に対して出し入れする開口と、これを閉じたり露出させたりする開閉扉とを有するものを用いるとともに、該開閉扉の開閉動作を検知する開閉動作検知手段を設け、該開閉動作検知手段によって該開閉動作が検知された場合に、上記タイミング調整制御と、上記変動パターン検出制御と、上記位相調整制御と、上記タイミング調整制御とを順に実施するように、上記制御手段を構成したことを特徴とする画像形成装置。
【請求項１１】
請求項２の画像形成装置において、
画像形成装置本体の筺体として、上記複数の像担持体のそれぞれ、又は上記複数の駆動伝達回転部材のそれぞれ、を筺体内に対して出し入れする開口と、これを閉じたり露出させたりする開閉扉とを有するものを用いるとともに、該開閉扉の開閉動作を検知する開閉動作検知手段を設け、該開閉動作検知手段によって該開閉動作が検知された場合に、上記タイミング調整制御と、上記変動パターン検出制御と、駆動速度パターン決定制御と、上記位相調整制御と、上記タイミング調整制御とを順に実施するように、上記制御手段を構成したことを特徴とする画像形成装置。
【請求項１２】
請求項１乃至１１の何れかの画像形成装置において、
複数の像担持体としてそれぞれ、潜像を担持することが可能な潜像担持体を用いるとともに、
上記可視像形成手段として、それぞれの潜像担持体を個別に一様帯電せしめる複数の帯電手段と、一様帯電後のそれぞれの潜像担持体に潜像を書き込む潜像書込手段と、それぞれの潜像担持体に担持された潜像を個別に現像する複数の現像手段と、それぞれの潜像担持体における可視像転写後の表面を個別にクリーニングする複数のクリーニング手段とを有するものを用い、
且つ、それぞれの潜像担持体を、該帯電手段、現像手段及びクリーニング手段のうちの少なくとも１つとともに共通の保持体に保持させて１つのユニットとして画像形成装置本体に着脱可能にしたプロセスユニットとして構成したことを特徴とする画像形成装置。
【発明の詳細な説明】
【技術分野】
【０００１】
本発明は、複数の像担持体のそれぞれに形成した可視像を中間転写ベルトなどの無端移動体やこれの表面に保持される記録体に重ね合わせて転写して重ね合わせ像を得る複写機、ファクシミリ、プリンタ等の画像形成装置に関するものである。
【背景技術】
【０００２】
この種の画像形成装置としては、特許文献１に記載のものが知られている。この画像形成装置は、像担持体たる複数の感光体と、それぞれの感光体との対向位置を順次通過するように無端移動せしめられる無端移動体たる転写ベルトとを備えている。そして、電子写真プロセスにより、それぞれの感光体の表面に互いに異なる色のトナー像を形成する。これらのトナー像は、転写ベルトの表面に保持されながら各感光体との対向位置を順次通過する記録紙の表面に重ね合わせて転写される。この重ね合わせの転写により、記録紙の表面上に多色トナー像が形成される。
【０００３】
かかる構成においては、各感光体を光走査する光学系の温度変化に伴う光路の変動や、各感光体にかかる外力の変化に伴う各感光体の相対位置変化などにより、記録紙上での副走査方向におけるトナー像の重ね合わせズレを引き起こすことがある。複数色のトナー像の重ね合わせによる細線画像では、各色のドットがずれて重ね合わせられることによって細線がにじんで見えてしまう。また、白以外の色からなる背景画像の上に文字画像が形成される場合には、文字画像の輪郭周辺に白抜けが発生してしまう。また、複数の色付け領域を具備する画像では、互いに異なる色付け領域の繋ぎ目が異なる色の筋に見えたり、白く抜けてしまったりする。更には、色付け領域において、帯状に周期的に現れる濃度ムラを発生させる場合もある。これらは、近年の高画質化の要望に対応する上で、大きな支障になる。
【０００４】
そこで、特許文献１に記載の画像形成装置では、光書込タイミング調整制御を行うことで、各色の副走査方向（感光体の表面移動方向）における重ね合わせズレを抑えるようになっている。この光書込タイミング調整制御では、まず、所定のタイミングでそれぞれの感光体に所定の基準トナー像を形成した後、それらを転写ベルトの表面に転写して位置ズレ検知用画像を得る。次いで、その位置ズレ検知用画像内の各基準トナー像をフォトセンサによって検知したタイミングに基づいて、それぞれの基準トナー像の相対的な位置ズレ量を算出する。そして、その算出結果に基づいて、それぞれの感光体に対する光書込開始タイミングを個別に設定することで、各色の重ね合わせズレを抑えることができる。
【０００５】
なお、各感光体上のトナー像を、転写ベルトの表面に保持した記録紙に重ね合わせて転写する方式に代えて、各感光体上のトナー像を、中間転写ベルトを介して記録紙に２次転写する方式を採用した画像形成装置もある。かかる構成でも、同様の光書込タイミング調整制御を行うことで、各色の重ね合わせズレを抑えることができる。
【０００６】
一方、重ね合わせズレとしては、光路の変動や、各感光体の相対位置変化に起因するものの他、感光体と同一軸線上で回転しながら感光体に駆動力を伝達する感光体ギヤやカップリング等の駆動伝達回転部材の偏心に起因するものがある。具体的には、感光体と同一軸線上で回転する駆動伝達部材の偏心により、感光体は速度変動を引き起こす。この速度変動は、感光体１回転あたりに１周期分のサイン波を描くような特性となる。これは、駆動伝達回転部材の最長径部分に対してモータギヤ等が噛み合っているときに感光体の駆動速度が最も遅くなる一方で、最短径部分に対してモータギヤ等が噛み合っているときに感光体の駆動速度が最も速くなり、且つ、それら最長径部分と最短径部分とが回転軸を中心にして互いに１８０［°］ずれた位置に存在するからである。線速が本来よりも速くなっているときの感光体に形成されたドットは本来よりも早いタイミングで転写位置に到達する一方で、線速が本来よりも遅くなっているときの感光体に形成されたドットは本来よりも遅いタイミングで転写位置に到達する。そして、前者のドットの上に、別の感光体から後者のドットが重ね合わされたり、後者のドットの上に、別の感光体から前者のドットが重ね合わされたりすることで、副走査方向におけるね合わせズレが発生してしまうのである。
【０００７】
上述の光書込調整制御は、感光体に対する画像全体の副走査方向における書込開始位置を調整するものであるため、このような感光体の１回転内の速度変動による重ね合わせズレを抑えることができない。
【０００８】
これに対し、特許文献２に記載の画像形成装置のように、各感光体の表面の速度変動パターンを検出するための変動パターン検出制御と、速度変動パターンの位相を調整するための位相調整制御とを行えば、この種の重ね合わせズレを抑えることができる。変動パターン検出制御では、まず、感光体の表面に対し、その表面移動方向に所定ピッチで並ぶ複数のトナー像からなる速度変動検知用画像を形成する。そして、この速度変動検知用画像を転写ベルト等に転写した後、フォトセンサによって速度変動検知用画像内の各トナー像を検知し、その検知間隔に基づいて、感光体１回転あたりにおける速度変動パターンを検出する。この一方で、感光体ギヤなどに設けられた目印を別のフォトセンサによって検知することで、感光体が所定の回転角度になるタイミングを検出する。これにより、感光体が所定の回転角度になった時点と、感光体の表面速度が最大や最小になる時点とのズレを求める。そして、このようなズレを各感光体のそれぞれについて求める。かかる速度パターン検出制御を実施したら、プリントジョブが発生する毎に位相調整制御を実施して、各感光体の速度変動パターンの位相差を調整する。具体的には、感光体ギヤの所定箇所に付された目印をフォトセンサで検知するなどして、各感光体がそれぞれ所定の回転角度になったタイミングを把握する。そして、そのタイミングと、変動パターン検出制御で予め求めておいた時間差とに基づいて、各感光体をそれぞれ個別に駆動する複数の駆動モータの駆動量を一時的に変化させることで、各感光体の速度変動パターンの位相差を調整する。この調整により、各転写位置において、本来よりも早いタイミングで転写位置に到達するドット同士や、本来よりも遅いタイミングで転写位置に到達するドット同士を同期させるようにして、各色の重ね合わせズレを抑えることができる。
【０００９】
なお、複数の感光体の配設ピッチが感光体の周長の整数倍になっている場合には、感光体から記録紙などに転写されたトナー像が隣の転写位置まで移動する間に、各感光体が整数回分だけ回転する。このため、各感光体の速度変動パターンの位相差をゼロに調整することで、各転写位置で適切な関係のドット同士を同期させることができる。これに対し、複数の感光体の配設ピッチが感光体の周長の整数倍になっていない構成では、各感光体間で速度変動の位相差をそれぞれ所定の時間ずつ設けることで、各転写位置で適切な関係のドット同士を同期させることができる。
【００１０】
【特許文献１】特許第２６４２３５１号公報
【特許文献２】特開平９−１４６３２９号公報
【発明の開示】
【発明が解決しようとする課題】
【００１１】
本発明者らは、上述した光書込タイミング調整制御と、変動パターン検出制御と、位相調整制御とを実施するようにした画像形成装置の試験機を試作した。これらの制御を組み合わせることで、トナー像の重ね合わせズレを相当のレベルまで抑えることができると考えていた。ところが、試験機で実験を行ったところ、重ね合わせズレを引き起こしてしまうことがあった。
【００１２】
そこで、このような重ね合わせズレを発生させてしまう原因について鋭意研究を行ったところ、次のようなことがわかってきた。即ち、各感光体の１回転あたりにおける速度変動パターンは、感光体や駆動伝達回転部材の偏心に起因するものであるので、それらが交換されたときに大きく変化する。このため、試作機は、感光体の交換をセンサーによって検知すると、光書込調整制御によって光書込タイミングを調整した後、変動パターン検出制御及び位相調整制御によって各感光体の速度変動の位相を調整するようになっていた。ところが、感光体等が交換されたときにこのような制御を行うと、重ね合わせズレを却って悪化させてしまうことがわかった。具体的には、光書込タイミング調整制御では、各色の重ね合わせズレ具合を検出した結果に基づいて、その重ね合わせズレをできるだけ抑え得る光書込タイミングが決定される。このとき、感光体等が交換されていると、交換によって各感光体の速度変動パターンの位相差が不適切になっている状態で形成された位置ズレ検知用画像に基づいて、各色の重ね合わせズレ具合が検出される。このため、光書込タイミングは、その不適切な位相差の状態において重ね合わせズレをできるだけ抑え得る値に決定される。このような決定を行った後に、変動パターン検出制御と位相調整制御とを実施して、位相差を適切に調整してしまうと、先に決定した光書込タイミングが不適切なものになって、重ね合わせズレが悪化してしまう。試験機では、この悪化により、重ね合わせズレを引き起こしていた。
【００１３】
なお、感光体や駆動伝達回転部材の交換とは、それまでプリンタ本体に装着されていた感光体等とは異なる感光体等を、画像形成装置本体に装着することを言う。交換ではなく、保守点検やメンテナンスなどのために、画像形成装置本体から感光体等を取り外した後、それを再び画像形成装置本体に装着する場合もある。このような場合にも、脱着前と後とで感光体や駆動伝達回転部材の位置が微妙にずれてしまうと、交換と同様に、上述の速度変動パターンが変化してしまうことがある。
【００１４】
また、各感光体の偏心に起因する重ね合わせズレを抑える方法としては、各感光体の速度変動パターンの位相差を調整する位相調整制御の他に、速度変動パターンとは逆位相の関係になるパターンで駆動モータの駆動速度を調整する制御も知られている。駆動速度の調整によって速度変動そのものを解消しようとする制御である。しかしながら、この制御の場合にも、感光体が交換されたにもかかわらず、交換前の速度変動パターンに基づいて駆動モータの駆動速度を調整しながら光書込タイミング調整制御を行ってしまえば、同様の問題を引き起こしてしまう。
【００１５】
本発明は、以上の背景に鑑みなされたものであり、その目的とするところは、可視像の重ね合わせズレを安定して抑えることができる画像形成装置を提供することである。
【課題を解決するための手段】
【００１６】
上記目的を達成するために、請求項１の発明は、回転する表面に可視像を担持する複数の像担持体と、それら像担持体を駆動するための複数の駆動源と、それら像担持体の回転軸線上でそれぞれ個別に回転しながら何れかの該駆動源からの駆動力を該像担持体に伝達する複数の駆動伝達回転部材と、画像情報に基づいてそれぞれの像担持体に可視像を形成する可視像形成手段と、それぞれの像担持体との対向位置を順次通過するように表面を無端移動させる無端移動体と、それぞれの像担持体の表面に形成された可視像を、該無端移動体の表面に保持される記録体に転写するか、あるいは該無端移動体の表面に転写した後に記録体に転写する転写手段と、該無端移動体上の可視像を検知する像検知手段と、予め定められた可視像をそれぞれの像担持体に形成して該無端移動体の表面に転写することでそれら可視像からなる位置ズレ検知用画像を得た後、該像検知手段による該位置ズレ検知用画像内の各可視像の検知タイミング基づいてそれぞれの像担持体に対する可視像形成タイミングを調整して、それぞれの像担持体から該無端移動体又は記録体への可視像の重ね合わせズレを低減するタイミング調整制御を実施する制御手段とを備える画像形成装置において、上記複数の像担持体のそれぞれについて、所定の回転角度になったことを検知する回転角度検知手段を設け、上記タイミング調整制御を実施した後、上記複数の駆動源をそれぞれ予め定められた基準タイミングで停止してから、それら駆動源を再駆動し、その後に、上記複数の像担持体の何れか１つである基準像担持体についての該回転角度検知手段による検知結果に基づいて、予め定められた複数の可視像からなる速度変動検知用画像を該基準像担持体の表面に形成するタイミングを決定し、且つ該検知結果に基づいて、予め定められた複数の可視像からなる速度変動検知用画像を該基準像担持体とは異なる他の像担持体の表面に形成するタイミングを決定し、該基準像担持体の表面上に形成した速度変動検知用画像と、該他の像担持体の表面上に形成した速度変動検知用画像とを、上記無端移動体の表面に対して表面移動方向と直交する方向に並べて転写し、それら速度変動検知用画像の各可視像を上記像検知手段によって検知したタイミングと、該基準像担持体についての該回転角度検知手段による検知結果と、該他の像担持体についての該回転角度検知手段による検知結果とに基づいて、該基準像担持体と該他の像担持体とについてそれぞれ像担持体表面の１回転あたりにおける速度変動パターンを検出する変動パターン検出制御と、それら速度変動パターンの位相ズレに基づいて、該他の像担持体を駆動するための上記駆動源の駆動停止タイミングを決定し、該駆動源を駆動停止タイミングで停止させることで、該他の像担持体の速度変動パターンの位相を予め調整する位相調整制御とを順に実施し、更に、上記複数の駆動源を再駆動してから、該タイミング調整制御を再び実施するように、上記制御手段を構成したことを特徴とするものである。
また、請求項２の発明は、請求項１の画像形成装置において、上記速度変動パターン検出制御を実施した後、上記複数の像担持体にそれぞれ対応する複数の上記速度変動パターンに基づいて上記複数の駆動源についてそれぞれ像担持体表面の速度変動を低減し得る駆動速度パターンを決定する駆動速度パターン決定制御を実施し、その後に、上記位相調整制御を実施するように、上記制御手段を構成したことを特徴とするものである。
また、請求項３の発明は、請求項１又は２の画像形成装置において、上記複数の駆動源についてそれぞれ、それに対応する上記位置ズレ検知用画像内の各可視像の検知タイミングに基づいて、上記画像情報に基づく可視像を形成する際における駆動速度を個別に設定する速度設定制御を実施するように、上記制御手段を構成したことを特徴とするものである。
また、請求項４の発明は、請求項３の画像形成装置において、上記変動パターン検出制御を実施するときには、上記複数の駆動源をそれぞれ同じ駆動速度で駆動するように、上記制御手段を構成したことを特徴とするものである。
また、請求項５の発明は、請求項１乃至４の何れかの画像形成装置において、上記像検知手段からの出力信号に直交検波処理を施して上記速度変動パターンを解析するように、上記制御手段を構成したことを特徴とするものである。
また、請求項６の発明は、請求項１の画像形成装置において、上記複数の像担持体のそれぞれ、又は上記複数の駆動伝達回転部材のそれぞれ、について脱着が行われたことを検知する脱着検知手段を設け、該脱着検知手段によって脱着が検知された場合に、上記タイミング調整制御と、上記変動パターン検出制御と、上記位相調整制御と、上記タイミング調整制御とを順に実施するように、上記制御手段を構成したことを特徴とするものである。
また、請求項７の発明は、請求項２の画像形成装置において、上記複数の像担持体のそれぞれ、又は上記複数の駆動伝達回転部材のそれぞれ、について脱着が行われたことを検知する脱着検知手段を設け、該脱着検知手段によって脱着が検知された場合に、上記タイミング調整制御と、上記変動パターン検出制御と、駆動速度パターン決定制御と、上記位相調整制御と、上記タイミング調整制御とを順に実施するように、上記制御手段を構成したことを特徴とするものである。
また、請求項８の発明は、請求項６又は７の画像形成装置において、上記脱着検知手段として、脱着検知後に装着されている上記像担持体又は駆動伝達回転部材について、脱着検知前と同じものであるか否かを判定可能なものを用いたことを特徴とするものである。
また、請求項９の発明は、請求項８の画像形成装置において、脱着検知後に装着されている上記像担持体又は駆動伝達回転部材について、脱着検知前と同じものでないと上記脱着検知手段に判定された場合には、上記複数の像担持体に対してそれぞれ、予め定められた可視像を形成して上記無端移動体の表面に転写して作像性能検知用画像を得た後、上記像検知手段によるそれら作像性能検知用画像の検知結果に基づいて上記可視像形成手段の作像条件を調整する作像条件調整制御を実施するように、上記制御手段を構成したことを特徴とするものである。
また、請求項１０の発明は、請求項１の画像形成装置において、画像形成装置本体の筺体として、上記複数の像担持体のそれぞれ、又は上記複数の駆動伝達回転部材のそれぞれ、を筺体内に対して出し入れする開口と、これを閉じたり露出させたりする開閉扉とを有するものを用いるとともに、該開閉扉の開閉動作を検知する開閉動作検知手段を設け、該開閉動作検知手段によって該開閉動作が検知された場合に、上記タイミング調整制御と、上記変動パターン検出制御と、上記位相調整制御と、上記タイミング調整制御とを順に実施するように、上記制御手段を構成したことを特徴とするものである。
また、請求項１１の発明は、請求項２の画像形成装置において、画像形成装置本体の筺体として、上記複数の像担持体のそれぞれ、又は上記複数の駆動伝達回転部材のそれぞれ、を筺体内に対して出し入れする開口と、これを閉じたり露出させたりする開閉扉とを有するものを用いるとともに、該開閉扉の開閉動作を検知する開閉動作検知手段を設け、該開閉動作検知手段によって該開閉動作が検知された場合に、上記タイミング調整制御と、上記変動パターン検出制御と、駆動速度パターン決定制御と、上記位相調整制御と、上記タイミング調整制御とを順に実施するように、上記制御手段を構成したことを特徴とするものである。
また、請求項１２の発明は、請求項１乃至１１の何れかの画像形成装置において、複数の像担持体としてそれぞれ、潜像を担持することが可能な潜像担持体を用いるとともに、上記可視像形成手段として、それぞれの潜像担持体を個別に一様帯電せしめる複数の帯電手段と、一様帯電後のそれぞれの潜像担持体に潜像を書き込む潜像書込手段と、それぞれの潜像担持体に担持された潜像を個別に現像する複数の現像手段と、それぞれの潜像担持体における可視像転写後の表面を個別にクリーニングする複数のクリーニング手段とを有するものを用い、且つ、それぞれの潜像担持体を、該帯電手段、現像手段及びクリーニング手段のうちの少なくとも１つとともに共通の保持体に保持させて１つのユニットとして画像形成装置本体に着脱可能にしたプロセスユニットとして構成したことを特徴とするものである。
【発明の効果】
【００１７】
これらの発明において、請求項１の発明特定事項の全てを備えるものでは、変動パターン検出制御と位相調整制御とを順に行った後、タイミング調整制御を行う。初めに行う変動パターン検出制御の直前に像担持体等が脱着（交換、あるいは一時的な取り外し後の再装着）された場合には、変動パターン検出制御において、各像担持体のそれぞれに対応する複数の速度変動検知用画像をそれぞれ不適切なタイミングで形成してしまうが、かかる速度変動検知用画像であっても各像担持体の速度変動パターンを正確に検出することが可能である。各像担持体の速度変動パターンはそれぞれ専用の速度変動検知用画像に基づいて検出され、その検出結果は他の速度変動検知用画像の形成タイミングに影響を受けないからである。タイミング調整制御については、このようにして正確に検出した各像担持体の速度変動パターンの位相差を適切に調整してから実施する。このため、各像担持体に対する可視像形成タイミングを、適切な位相差の状態で重ね合わせズレをできるだけ抑え得る値にすることが可能である。かかる構成では、変動パターン検出制御と位相調整制御とに先立ってタイミング調整制御を行っていた試験機とは異なり、位相調整制御の実施によって重ね合わせズレが却って悪化してしまうことがないので、重ね合わせズレを安定して抑えることができる。
また、請求項２の発明特定事項の全てを備えるものでは、各像担持体の速度変動パターンの検出結果に基づいて適切な駆動速度パターンを決定した後、その駆動速度パターンに基づいて駆動源を駆動している状態でタイミング調整制御を実施する。かかる構成では、像担持体の交換に伴って不適切になってしまった駆動速度パターンに基づいて駆動源の駆動速度を調整しながらタイミング調整制御を行ってしまったり、そのタイミング調整制御の後に決定した新たな駆動速度パターンに基づいて駆動源の駆動速度を調整することで可視像形成タイミングを却って不適切にしてしまったりすることがないので、重ね合わせズレを安定して抑えることができる。
【発明を実施するための最良の形態】
【００１８】
以下、本発明を適用した画像形成装置として、電子写真方式のプリンタ（以下、単にプリンタという）の第１実施形態について説明する。
まず、第１実施形態に係るプリンタの基本的な構成について説明する。図１は、第１実施形態に係るプリンタを示す概略構成図である。同図のプリンタは、トナー像形成手段たるプロセスユニットとして、イエロー、マゼンタ、シアン、ブラック（以下、Ｙ、Ｃ、Ｍ、Ｋと記す）用の４つのプロセスユニット１Ｙ，Ｃ，Ｍ，Ｋを備えている。これらは、画像を形成する画像形成物質として、互いに異なる色のＹ，Ｃ，Ｍ，Ｋトナーを用いるが、それ以外は同様の構成になっている。Ｙトナー像を生成するためのプロセスユニット１Ｙを例にすると、これは図２に示すように、感光体ユニット２Ｙと現像ユニット７Ｙとを有している。これら感光体ユニット２Ｙ及び現像ユニット７Ｙは、図３に示すようにプロセスユニット１Ｙとして一体的にプリンタ本体に対して着脱される。但し、プリンタ本体から取り外した状態では、図４に示すように現像ユニット７Ｙを図示しない感光体ユニットに対して着脱することができる。
【００１９】
先に示した図２において、感光体ユニット２Ｙは、潜像担持体たるドラム状の感光体３Ｙ、ドラムクリーニング装置４Ｙ、図示しない除電装置、帯電装置５Ｙなどを有している。
【００２０】
帯電装置５Ｙは、図示しない駆動手段によって図中時計回り方向に回転駆動せしめられる感光体３Ｙの表面を一様帯電せしめる。同図においては、図示しない電源によって帯電バイアスが印加されながら、図中反時計回りに回転駆動される帯電ローラ６Ｙを感光体３Ｙに近接させることで、感光体３Ｙを一様帯電せしめる方式の帯電装置５Ｙを示した。帯電ローラ６Ｙの代わりに、帯電ブラシを当接させるものを用いてもよい。また、スコロトロンチャージャーのように、チャージャー方式によって感光体３Ｙを一様帯電せしめるものを用いてもよい。帯電装置５Ｙによって一様帯電せしめられた感光体３Ｙの表面は、後述する光書込ユニットから発せられるレーザー光によって露光走査されてＹ用の静電潜像を担持する。
【００２１】
現像手段たる現像ユニット７Ｙは、第１搬送スクリュウ８Ｙが配設された第１剤収容部９Ｙを有している。また、透磁率センサからなるトナー濃度センサ（以下、トナー濃度センサという）１０Ｙ、第２搬送スクリュウ１１Ｙ、現像ロール１２Ｙ、ドクターブレード１３Ｙなどが配設された第２剤収容部１４Ｙも有している。これら２つの剤収容部内には、磁性キャリアとマイナス帯電性のＹトナーとからなる図示しないＹ現像剤が内包されている。第１搬送スクリュウ８Ｙは、図示しない駆動手段によって回転駆動せしめられることで、第１剤収容部９Ｙ内のＹ現像剤を図紙面に直交する方向における手前側から奥側へと搬送する。そして、第１剤収容部９Ｙと第２剤収容部１４Ｙとの間の仕切壁に設けられた図示しない連通口を経て、第２剤収容部１４Ｙ内に進入する。
【００２２】
第２剤収容部１４Ｙ内の第２搬送スクリュウ１１Ｙは、図示しない駆動手段によって回転駆動せしめられることで、Ｙ現像剤を図中奥側から手前側へと搬送する。搬送途中のＹ現像剤は、第１剤収容部１４Ｙの底部に固定されたトナー濃度センサ１０Ｙによってそのトナー濃度が検知される。このようにしてＹ現像剤を搬送する第２搬送スクリュウ１１Ｙの図中上方には、現像ロール１１Ｙが第２搬送スクリュウ１１Ｙと平行な姿勢で配設されている。この現像ロール１１Ｙは、図中反時計回り方向に回転駆動せしめられる非磁性パイプからなる現像スリーブ１５Ｙ内にマグネットローラ１６Ｙを内包している。第２搬送スクリュウ１１Ｙによって搬送されるＹ現像剤の一部は、マグネットローラ１６Ｙの発する磁力によって現像スリーブ１５Ｙ表面に汲み上げられる。そして、現像部材たる現像スリーブ１５Ｙと所定の間隙を保持するように配設されたドクターブレード１３Ｙによってその層厚が規制された後、感光体３Ｙと対向する現像領域まで搬送され、感光体３Ｙ上のＹ用の静電潜像にＹトナーを付着させる。この付着により、感光体３Ｙ上にＹトナー像が形成される。現像によってＹトナーを消費したＹ現像剤は、現像ロール１２Ｙの現像スリーブ１５Ｙの回転に伴って第２搬送スクリュウ１１Ｙ上に戻される。そして、図中手前端まで搬送されると、図示しない連通口を経て第１剤収容部９Ｙ内に戻る。
【００２３】
トナー濃度センサ１０ＹによるＹ現像剤の透磁率の検知結果は、電圧信号として図示しない制御部に送られる。Ｙ現像剤の透磁率は、Ｙ現像剤のＹトナー濃度と相関を示すため、トナー濃度センサ１０ＹはＹトナー濃度に応じた値の電圧を出力することになる。上記制御部はＲＡＭを備えており、この中にトナー濃度センサ１０Ｙからの出力電圧の目標値であるＹ用Ｖｔｒｅｆや、他の現像ユニットに搭載されたＣ，Ｍ，Ｋ用のトナー濃度センサからの出力電圧の目標値であるＣ用Ｖｔｒｅｆ、Ｍ用Ｖｔｒｅｆ、Ｋ用Ｖｔｒｅｆのデータを格納している。Ｙ用の現像ユニット７Ｙについては、トナー濃度センサ１０Ｙからの出力電圧の値とＹ用Ｖｔｒｅｆを比較し、図示しないＹ用のトナー供給装置を比較結果に応じた時間だけ駆動させる。この駆動により、現像に伴うＹトナー消費によってＹトナー濃度を低下させたＹ現像剤に対し、第１剤収容部９Ｙで適量のＹトナーが供給される。このため、第２剤収容部１４Ｙ内のＹ現像剤のＹトナー濃度が所定の範囲内に維持される。他色用のプロセスユニット（１Ｃ，Ｍ，Ｋ）内における現像剤についても、同様のトナー供給制御が実施される。
【００２４】
感光体３Ｙ上に形成されたＹトナー像は、後述する中間転写ベルトに中間転写される。感光体ユニット２Ｙのドラムクリーニング装置４Ｙは、中間転写工程を経た後の感光体３Ｙ表面に残留したトナーを除去する。これによってクリーニング処理が施された感光体３Ｙ表面は、図示しない除電装置によって除電される。この除電により、感光体３Ｙの表面が初期化されて次の画像形成に備えられる。先に示した図１において、他色用のプロセスユニット１Ｃ，Ｍ，Ｋにおいても、同様にして感光体３Ｃ，Ｍ，Ｋ上にＣ，Ｍ，Ｋトナー像が形成されて、中間転写ベルト上に中間転写される。
【００２５】
プロセスユニット１Ｙ，Ｃ，Ｍ，Ｋの図中下方には、光書込ユニット２０が配設されている。潜像形成手段たる光書込ユニット２０は、画像情報に基づいて発したレーザー光Ｌを、各プロセスユニット１Ｙ，Ｃ，Ｍ，Ｋの感光体３Ｙ，Ｃ，Ｍ，Ｋに照射する。これにより、感光体３Ｙ，Ｃ，Ｍ，Ｋ上にＹ，Ｃ，Ｍ，Ｋ用の静電潜像が形成される。なお、光書込ユニット２０は、光源から発したレーザー光Ｌを、モータによって回転駆動されるポリゴンミラー２１によって偏向せしめながら、複数の光学レンズやミラーを介して感光体３Ｙ，Ｃ，Ｍ，Ｋに照射するものである。かかる構成のものに代えて、ＬＤＥアレイによる光走査を行うものを採用することもできる。
【００２６】
光書込ユニット２０の下方には、第１給紙カセット３１、第２給紙カセット３２が鉛直方向に重なるように配設されている。これら給紙カセット内には、それぞれ、記録部材たる記録紙Ｐが複数枚重ねられた記録紙束の状態で収容されており、一番上の記録紙Ｐには、第１給紙ローラ３１ａ、第２給紙ローラ３２ａがそれぞれ当接している。第１給紙ローラ３１ａが図示しない駆動手段によって図中反時計回りに回転駆動せしめられると、第１給紙カセット３１内の一番上の記録紙Ｐが、カセットの図中右側方において鉛直方向に延在するように配設された給紙路３３に向けて排出される。また、第２給紙ローラ３２ａが図示しない駆動手段によって図中反時計回りに回転駆動せしめられると、第２給紙カセット３２内の一番上の記録紙Ｐが、給紙路３３に向けて排出される。給紙路３３内には、複数の搬送ローラ対３４が配設されており、給紙路３３に送り込まれた記録紙Ｐは、これら搬送ローラ対３４のローラ間に挟み込まれながら、給紙路３３内を図中下側から上側に向けて搬送される。
【００２７】
給紙路３３の末端には、レジストローラ対３５が配設されている。レジストローラ対３５は、記録紙Ｐを搬送ローラ対３４から送られてくる記録紙Ｐをローラ間に挟み込むとすぐに、両ローラの回転を一旦停止させる。そして、記録紙Ｐを適切なタイミングで後述の２次転写ニップに向けて送り出す。
【００２８】
各プロセスユニット１Ｙ，Ｃ，Ｍ，Ｋの図中上方には、無端移動体たる中間転写ベルト４１を張架しながら図中反時計回りに無端移動せしめる転写ユニット４０が配設されている。転写手段たる転写ユニット４０は、中間転写ベルト４１の他、ベルトクリーニングユニット４２、第１ブラケット４３、第２ブラケット４４などを備えている。また、４つの１次転写ローラ４５Ｙ，Ｃ，Ｍ，Ｋ、２次転写バックアップローラ４６、駆動ローラ４７、補助ローラ４８、テンションローラ４９なども備えている。中間転写ベルト４１は、これら８つのローラに張架されながら、駆動ローラ４７の回転駆動によって図中反時計回りに無端移動せしめられる。４つの１次転写ローラ４５Ｙ，Ｃ，Ｍ，Ｋは、このように無端移動せしめられる中間転写ベルト４１を感光体３Ｙ，Ｃ，Ｍ，Ｋとの間に挟み込んでそれぞれ１次転写ニップを形成している。そして、中間転写ベルト４１の裏面（ループ内周面）にトナーとは逆極性（例えばプラス）の転写バイアスを印加する。中間転写ベルト４１は、その無端移動に伴ってＹ，Ｃ，Ｍ，Ｋ用の１次転写ニップを順次通過していく過程で、そのおもて面に感光体３Ｙ，Ｃ，Ｍ，Ｋ上のＹ，Ｃ，Ｍ，Ｋトナー像が重ね合わせて１次転写される。これにより、中間転写ベルト４１上に４色重ね合わせトナー像（以下、４色トナー像という）が形成される。
【００２９】
２次転写バックアップローラ４６は、中間転写ベルト４１のループ外側に配設された２次転写ローラ５０との間に中間転写ベルト４１を挟み込んで２次転写ニップを形成している。先に説明したレジストローラ対３５は、ローラ間に挟み込んだ記録紙Ｐを、中間転写ベルト４１上の４色トナー像に同期させ得るタイミングで、２次転写ニップに向けて送り出す。中間転写ベルト４１上の４色トナー像は、２次転写バイアスが印加される２次転写ローラ５０と２次転写バックアップローラ４６との間に形成される２次転写電界や、ニップ圧の影響により、２次転写ニップ内で記録紙Ｐに一括２次転写される。そして、記録紙Ｐの白色と相まって、フルカラートナー像となる。
【００３０】
２次転写ニップを通過した後の中間転写ベルト４１には、記録紙Ｐに転写されなかった転写残トナーが付着している。これは、ベルトクリーニングユニット４２によってクリーニングされる。なお、ベルトクリーニングユニット４２は、クリーニングブレード４２ａを中間転写ベルト４１のおもて面に当接させており、これによってベルト上の転写残トナーを掻き取って除去するものである。
【００３１】
なお、転写ユニット４０の第１ブラケット４３は、図示しないソレノイドの駆動のオンオフに伴って、補助ローラ４８の回転軸線を中心にして所定の回転角度で揺動するようになっている。本画像形成システムのプリンタは、モノクロ画像を形成する場合には、前述のソレノイドの駆動によって第１ブラケット４３を図中反時計回りに少しだけ回転させる。この回転により、補助ローラ４８の回転軸線を中心にしてＹ，Ｃ，Ｍ用の１次転写ローラ４５Ｙ，Ｃ，Ｍを図中反時計回りに公転させることで、中間転写ベルト４１をＹ，Ｃ，Ｍ用の感光体３Ｙ，Ｃ，Ｍから離間させる。そして、４つのプロセスユニット１Ｙ，Ｃ，Ｍ，Ｋのうち、Ｋ用のプロセスユニット１Ｋだけを駆動して、モノクロ画像を形成する。これにより、モノクロ画像形成時にＹ，Ｃ，Ｍ用のプロセスユニットを無駄に駆動させることによるそれらプロセスユニットの消耗を回避することができる。
【００３２】
２次転写ニップの図中上方には、定着ユニット６０が配設されている。この定着ユニット６０は、ハロゲンランプ等の発熱源を内包する加圧加熱ローラ６１と、定着ベルトユニット６２とを備えている。定着ベルトユニット６２は、定着部材たる定着ベルト６４、ハロゲンランプ等の発熱源を内包する加熱ローラ６３、テンションローラ６５、駆動ローラ６６、図示しない温度センサ等を有している。そして、無端状の定着ベルト６４を加熱ローラ６３、テンションローラ６５及び駆動ローラ６６によって張架しながら、図中反時計回り方向に無端移動せしめる。この無端移動の過程で、定着ベルト６４は加熱ローラ６３によって裏面側から加熱される。このようにして加熱される定着ベルト６４の加熱ローラ６３掛け回し箇所には、図中時計回り方向に回転駆動される加圧加熱ローラ６１がおもて面側から当接している。これにより、加圧加熱ローラ６１と定着ベルト６４とが当接する定着ニップが形成されている。
【００３３】
定着ベルト６４のループ外側には、図示しない温度センサが定着ベルト６４のおもて面と所定の間隙を介して対向するように配設されており、定着ニップに進入する直前の定着ベルト６４の表面温度を検知する。この検知結果は、図示しない定着電源回路に送られる。定着電源回路は、温度センサによる検知結果に基づいて、加熱ローラ６３に内包される発熱源や、加圧加熱ローラ６１に内包される発熱源に対する電源の供給をオンオフ制御する。これにより、定着ベルト６４の表面温度が約１４０［°］に維持される。
【００３４】
先に示した図１において、２次転写ニップを通過した記録紙Ｐは、中間転写ベルト４１から分離した後、定着ユニット６０内に送られる。そして、定着ユニット６０内の定着ニップに挟まれながら図中下側から上側に向けて搬送される過程で、定着ベルト６４によって加熱されたり、押圧されたりして、フルカラートナー像が定着せしめられる。
【００３５】
このようにして定着処理が施された記録紙Ｐは、排紙ローラ対６７のローラ間を経た後、機外へと排出される。プリンタ本体の筺体の上面には、スタック部６８が形成されており、排紙ローラ対６７によって機外に排出された記録紙Ｐは、このスタック部６８に順次スタックされる。
【００３６】
転写ユニット４０の上方には、Ｙ，Ｃ，Ｍ，Ｋトナーを収容する４つのトナーカートリッジ１００Ｙ，Ｃ，Ｍ，Ｋが配設されている。トナーカートリッジ１００Ｙ，Ｃ，Ｍ，Ｋ内のＹ，Ｃ，Ｍ，Ｋトナーは、プロセスユニット１Ｙ，Ｃ，Ｍ，Ｋの現像ユニット７Ｙ，Ｃ，Ｍ，Ｋに適宜供給される。これらトナーカートリッジ１００Ｙ，Ｃ，Ｍ，Ｋは、プロセスユニット１Ｙ，Ｃ，Ｍ，Ｋとは独立してプリンタ本体に脱着可能である。
【００３７】
図５は、プリンタの筺体内に固定された駆動伝達系である本体側駆動伝達部を示す斜視図である。また、図６は、この本体側駆動伝達部を上方から示す平面図である。プリンタの筺体内には、支持板が立設せしめられており、これには４つのプロセス駆動モータ１２０Ｙ，Ｃ，Ｍ，Ｋが固定されている。駆動源たるプロセス駆動モータ１２０Ｙ，Ｃ，Ｍ，Ｋの回転軸には、原動ギヤ１２１Ｙ，Ｃ，Ｍ，Ｋが固定されている。プロセス駆動モータ１２０Ｙ，Ｃ，Ｍ，Ｋの回転軸の下方には、上記支持板に突設せしめられた図示しない固定軸に係合しながら摺動回転可能な現像ギヤ１２２Ｙ，Ｃ，Ｍ，Ｋが配設されている。この現像ギヤ１２２Ｙ，Ｃ，Ｍ，Ｋは、互いに同じ回転軸線上で回転する第１ギヤ部１２３Ｙ，Ｃ，Ｍ，Ｋと第２ギヤ部１２４Ｙ，Ｃ，Ｍ，Ｋとを有している。第２ギヤ部１２４Ｙ，Ｃ，Ｍ，Ｋの方が、第１ギヤ部１２３Ｙ，Ｃ，Ｍ，Ｋよりもプロセス駆動モータ１２０Ｙ，Ｃ，Ｍ，Ｋの回転軸の先端側に位置している。現像ギヤ１２２Ｙ，Ｍ，Ｃ，Ｋは、その第１ギヤ部１２３Ｙ，Ｍ，Ｃ，Ｋをプロセス駆動モータ１２０Ｙ，Ｃ，Ｍ，Ｋの原動ギヤ１２１Ｙ，Ｃ，Ｍ，Ｋに噛み合わせながら、プロセス駆動モータ１２０Ｙ，Ｃ，Ｍ，Ｋの回転によって固定軸上で摺動回転する。
【００３８】
駆動源たるプロセス駆動モータ１２０Ｙ，Ｃ，Ｍ，Ｋは、ＤＣブラシレスモータの一種であるＤＣサーボモータからなる。原動ギヤ１２１Ｙ，Ｃ，Ｍ，Ｋと感光体ギヤ１３３Ｙ，Ｃ，Ｍ，Ｋとの減速比は、例えば１：２０になっている。原動ギヤから感光体ギヤに至るまでの減速段数を１段としたのは、部品点数を少なくし低コストにするための他、ギヤを２つにして噛み合い誤差や偏心による伝達誤差の要因を少なくする狙いからである。１段減速にしたことで、１：２０という比較的大きい減速比では、感光体ギヤが感光体よりも大径となる。このような大径な感光体ギヤを用いることで、ギヤ１歯噛み合いに対応する感光体表面上でのピッチ誤差を小さくして、副走査方向の印字濃度むら（バンディング）の影響を少なくするという狙いもある。減速比は、感光体の目標速度とモータ特性との関係から、高効率、高回転精度が得られる速度領域に基づいて決定される。
【００３９】
現像ギヤ１２２Ｙ，Ｃ，Ｍ，Ｋの左側方には、図示しない固定軸に係合しながら摺動回転する第１中継ギヤ１２５Ｙ，Ｃ，Ｍ，Ｋが配設されている。これらは、現像ギヤ１２２Ｙ，Ｃ，Ｍ，Ｋの第２ギヤ部１２４Ｙ，Ｃ，Ｍ，Ｋに噛み合うことで、現像ギヤ１２２Ｙ，Ｃ，Ｍ，Ｋから回転駆動力を受けて、固定軸上で摺動回転する。第１中継ギヤ１２５Ｙ，Ｃ，Ｍ，Ｋには、駆動伝達方向上流側で第２ギヤ部１２４Ｙ，Ｃ，Ｍ，Ｋが噛み合っている他に、駆動伝達方向下流側でクラッチ入力ギヤ１２６Ｙ，Ｃ，Ｍ，Ｋが噛み合っている。これらクラッチ入力ギヤ１２６Ｙ，Ｃ，Ｍ，Ｋは、現像クラッチ１２７Ｙ，Ｃ，Ｍ，Ｋに支持されている。現像クラッチ１２７Ｙ，Ｃ，Ｍ，Ｋは、図示しない制御部によって電源供給がオンオフ制御されるのに伴って、クラッチ入力ギヤ１２６Ｙ，Ｃ，Ｍ，Ｋの回転駆動力をクラッチ軸に繋いだり、クラッチ入力ギヤ１２６Ｙ，Ｃ，Ｍ，Ｋを空転させたりする。現像クラッチ１２７Ｙ，Ｃ，Ｍ，Ｋのクラッチ軸の先端側には、クラッチ出力ギヤ１２８Ｙ，Ｃ，Ｍ，Ｋが固定されている。現像クラッチ１２７Ｙ，Ｃ，Ｍ，Ｋに電源が供給されると、クラッチ入力ギヤ１２６Ｙ，Ｃ，Ｍ，Ｋの回転駆動力がクラッチ軸に繋がれて、クラッチ出力ギヤ１２８Ｙ，Ｃ，Ｍ，Ｋが回転する。これに対し、現像クラッチ１２７Ｙ，Ｃ，Ｍ，Ｋへの電源供給が切られると、たとえプロセス駆動モータ１２０Ｙ，Ｃ，Ｍ，Ｋが回転していても、クラッチ入力ギヤ１２６Ｙ，Ｃ，Ｍ，Ｋがクラッチ軸上で空転するため、クラッチ出力ギヤ１２８Ｙ，Ｃ，Ｍ，Ｋの回転が停止する。
【００４０】
クラッチ出力ギヤ１２８Ｙ，Ｃ，Ｍ，Ｋの図中左側方には、図示しない固定軸に係合しながら摺動回転可能な第２中継ギヤ１２９Ｙ，Ｃ，Ｍ，Ｋが配設されており、クラッチ出力ギヤ１２８Ｙ，Ｃ，Ｍ，Ｋに噛み合いながら回転する。
【００４１】
プリンタ本体側では、次のような駆動伝達系が４つのプロセスユニットにそれぞれ対応するように構成されている。即ち、プロセス駆動モータ１２０→原動ギヤ１２１→現像ギヤ１２２の第１ギヤ部１２３→第２ギヤ部１２４→第１中継ギヤ１２５→クラッチ入力ギヤ１２６→クラッチ出力ギヤ１２８→第２中継ギヤ１２９、という駆動伝達系である。
【００４２】
図７は、Ｙ用のプロセスユニット１Ｙの一端部を示す部分斜視図である。現像ユニット７Ｙのケーシング内の現像スリーブ１５Ｙは、その軸部材をケーシング側面に貫通させて外部に突出させている。このように突出した軸部材箇所には、スリーブ上流ギヤ１３１Ｙが固定されている。また、ケーシング側面には固定軸１３２Ｙが突設せしめられており、これに対して第３中継ギヤ１３０Ｙが摺動回転可能に係合しながら、スリーブ上流ギヤ１３１Ｙに噛み合っている。
【００４３】
Ｙ用のプロセスユニット１Ｙがプリンタ本体にセットされた状態では、第３中継ギヤ１３０Ｙに対し、スリーブ上流ギヤ１３１Ｙの他、先に図５や図６に示した第２中継ギヤ１２９Ｙが噛み合う。そして、第２中継ギヤ１２９Ｙの回転駆動力が、第３中継ギヤ１３０Ｙ、スリーブ上流ギヤ１３１Ｙに順次伝達されて、現像スリーブ１３Ｙが回転駆動される。
【００４４】
なお、Ｙ用のプロセスユニット１Ｙについてだけ、図を示して説明したが、他色用のプロセスユニットにおいても、同様にして現像スリーブに回転駆動力が伝達される。
【００４５】
また、図７では、Ｙ用のプロセスユニット１Ｙの一端部だけを示したが、現像スリープ１５Ｙの他端側の軸部材は、ケーシングの他端側の側面に貫通して外部に突出しており、その突出箇所には図示しないスリーブ下流ギヤが固定されている。また、先に図２に示した第１搬送スクリュウ７Ｙ、第２搬送スクリュウ１０Ｙも、その軸部材をケーシング他端側の側面に貫通させており、その突出箇所には図示しない第１スクリュウギヤ、第２スクリュウギヤが固定されている。現像スリーブ１５Ｙがスリーブ上流ギヤ１３１Ｙによる駆動伝達によって回転すると、それに伴い、他端側においてスリーブ下流ギヤが回転する。そして、スリーブ下流ギヤに噛み合っている第２スクリュウギヤで駆動力を受ける第２搬送スクリュウ１１Ｙが回転するとともに、第２スクリュウギヤに噛み合っている第１スクリュウギヤで駆動力を受ける第１搬送スクリュウ８Ｙが回転する。他色用のプロセスユニットも同様の構成である。
【００４６】
このように、原動ギヤ１２１、現像ギヤ１２２、第１中継ギヤ１２５、クラッチ入力ギヤ１２６、クラッチ出力ギヤ１２８、第２中継ギヤ１２９、第３中継ギヤ１３０、スリーブ上流ギヤ１３１、スリーブ下流ギヤ、第２スクリュウギヤ、及び第１スクリュウギヤからなる現像ギヤ群が、各プロセスユニットにそれぞれ対応して４組構成されている。
【００４７】
図８は、Ｙ用の感光体ギヤ１３３Ｙと、その周囲構成とを示す斜視図である。同図において、原動ギヤ１２１Ｙには、現像ギヤ１２２Ｙの第１ギヤ部１２３Ｙの他、潜像ギヤたる感光体ギヤ１３３Ｙが噛み合っている。駆動伝達回転部材としての感光体ギヤ１３３Ｙは、本体側駆動伝達部に回動自在に強いされている。感光体ギヤ１３３Ｙの直径は、感光体の直径よりも大きくなっている。プロセス駆動モータ１２０Ｙが回転すると、その回転駆動力が原動ギヤから感光体ギヤ１２１Ｙに一段減速で伝達されて感光体が回転駆動する。他色用のプロセスユニットも同様の構成である。このように、本画像形成システムのプリンタにおいては、原動ギヤ１２１及び感光体ギヤ１３３からなる潜像ギヤ群が各プロセスユニットにそれぞれ対応して４組構成されている。
【００４８】
プロセスユニットの感光体の回転軸と、プリンタ本体側に支持される感光体ギヤ１３３とは、感光体の回転軸の端部に固定されたカップリングによって連結される。各色においてそれぞれ、現像ギヤを感光体ギヤとは異なる現像モータによって駆動させるようにしてもよい。
【００４９】
次に、本プリンタの特徴的な構成について説明する。図９は、４つの感光体１Ｙ，Ｃ，Ｍ，Ｋと、転写ユニット４０と、光書込ユニット２０とを示す側面図である。感光体１Ｙ，Ｃ，Ｍ，Ｋに回転駆動力を伝達する感光体ギヤ１３３Ｙ，Ｃ，Ｍ，Ｋには、所定箇所にマーキング１３４Ｙ，Ｃ，Ｍ，Ｋが付されている。これらマーキング１３４Ｙ，Ｃ，Ｍ，Ｋは、感光体ギヤ１３３Ｙ，Ｃ，Ｍ，Ｋが１回転する毎に、フォトセンサ等からなるポジションセンサ１３５Ｙ，Ｃ，Ｍ，Ｋによって所定のタイミングで検知される。これにより、感光体１Ｙ，Ｃ，Ｍ，Ｋは、それぞれ１回転する毎に、所定の回転角度になったタイミングが検知される。
【００５０】
転写ユニット４０の上方には、中間転写ベルト４１の幅方向に所定の間隔で並ぶ２つの図示しない反射型フォトセンサからなる光学センサユニット１３６が、中間転写ベルト４１の上部張架面と所定の間隙を介して対向するように配設されている。
【００５１】
一般に、画像形成装置では、機内温度が変化したり、外力が加わたりすることで、各プロセスユニットの位置や大きさが微妙に変化することがある。これらの変化は避けられないものである。例えば、紙詰まりの復帰、メンテナンスによる部品交換、画像形成装置の移動などの作業を行うと、プロセスユニットに外力を加えることとなる。このような外力や、機内温度の変化が発生すると、各色のプロセスユニットによって形成される各色トナー像の重ね合わせ精度が悪化してしまう。そこで、本プリンタでは、電源スイッチが投入された直後や所定時間経過毎などに、タイミング調整制御を実施して、各色トナー像の重ね合わせズレを抑えるようになっている。
【００５２】
図１０は、中間転写ベルト４１の一部を、光学センサユニット１３６とともに示す斜視図である。本プリンタの図示しない制御手段は、図示しない電源スイッチがＯＮされた直後や、所定時間が経過する毎などの所定のタイミングで、タイミング調整制御を行うようになっている。このタイミング調整制御では、中間転写ベルト４１の幅方向の一端部と他端部とにそれぞれ、複数のトナー像からなる位置ズレ検知用画像ＰＶが形成される。一方、中間転写ベルト４１の上方には、第１光学センサ１３７と第２光学センサ１３８とからなる光学センサユニット１３６が配設されている。第１光学センサ１３７は、発光手段から発した光を集光レンズに通した後、中間転写ベルト４１の表面で反射させ、その反射光を受光手段で受光する。そして、受光量に応じた電圧を出力する。中間転写ベルト４１の一端部に形成された位置ズレ検知用画像ＰＶ内のトナー像が、第１光学センサ１３７の直下を通過する際には、第１光学センサ１３７の受光手段による受光量が大きく変化する。これにより、第１光学センサ１３７は、トナー像を検知して受光手段からの出力電圧値を大きく変化させる。同様にして、第２光学センサ１３８は、中間転写ベルト４１の他端部に形成された位置ズレ検知用画像ＰＶ内の各トナー像を検知する。このように、第１光学センサ１３７や第２光学センサ１３８は、位置ズレ検知用画像ＰＶ内の各トナー像を検知する像検知手段として機能している。なお、発光手段としては、トナー像を検出するために必要な反射光を作り得る光量をもつＬＥＤ等が用いられている。また、受光手段としては、多数の受光素子が直線状に配列されたＣＣＤなどが用いられている。
【００５３】
中間転写ベルト４１の幅方向の両端部にそれぞれ形成した位置ズレ検知用画像ＰＶ内の各トナー像を検知することで、各トナー像における主走査方向（レーザー光による走査方向）の位置、副走査方向（ベルト移動方向）の位置、主走査方向の倍率誤差、主走査方向からのスキューをそれぞれ調整することが可能になる。
【００５４】
位置ズレ検知用画像ＰＶとしては、図１１に示すように、Ｙ，Ｃ，Ｍ，Ｋの各色のトナー像を主走査方向から約４５［°］傾けた姿勢で、副走査方向であるベルト移動方向に所定ピッチで並べたシェブロンパッチと呼ばれるラインパターン群を形成する。そして、このような位置ズレ検知用画像ＰＶ内のＹ，Ｃ，Ｍトナー像について、Ｋトナー像との検知時間差を読み取っていく。同図では、紙面上下方向が主走査方向に相当し、左から順に、Ｙ，Ｃ，Ｍ，Ｋトナー像が並んだ後、これらとは姿勢が９０［°］異なっているＫ，Ｍ，Ｃ，Ｙトナー像が更に並んでいる。基準色となるＫとの検出時間差ｔｙｋ、ｔｃｋ、ｔｍｋについての実測値と理論値との差に基づいて、各色トナー像の副走査方向のズレ量を求めることができる。そして、そのズレ量に基づいて、光書込ユニット（２０）のポリゴンミラー1面おき、即ち、１走査ラインピッチを１単位として、感光体に対する光書込開始タイミングを調整することで、各色トナー像の副走査方向の重ね合わせズレを抑える（タイミング調整制御）。また、姿勢が９０［°］異なる同色の２つのトナー像の検出時間差ｔｋ、ｔｍ、ｔｃ、ｔｙについての実測値と理論値との差に基づいて、各色トナー像の主走査方向のズレ量を求めることができる。各色トナー像の主走査方向からの傾き（スキュー）については、ベルト両端部間での副走査方向ズレ量の差に基づいて求めることができる。そして、その結果に基づいて、光書込ユニット（２０）内の図示しないトロイダルレンズの傾きを調整する図示しないレンズ傾き調整機構を駆動することで、各色トナー像の主走査方向からの傾きズレを低減する。
【００５５】
本プリンタのように、４つの感光体（１Ｙ，Ｃ，Ｍ，Ｋ）に対する４つのレーザー光を、共通の１つのポリゴンミラーによって偏向せしめてそれぞれの感光体に対する主走査方向の光走査を行うものでは、各感光体に対する光書込開始タイミングが、タイミング調整制御によって１ライン分（１走査線分）の書込に相当する時間単位で調整される。例えば、２つの感光体間で、副走査方向（感光体表面移動方向）に１／２ドットを超える重ね合わせズレが発生している場合、何れか一方の感光体に対する光書込開始タイミングが、１ライン分の書込時間の整数倍だけ前後にずらされる。より詳しくは、例えば３／４ドットの重ね合わせズレの場合には１ライン分の書込時間の１倍、７／４ドットの重ね合わせズレの場合には１ライン分の書込時間の２倍だけ、光書込開始タイミングがそれまでのタイミングよりも前後にずらされる。これにより、副走査方向における重ね合わせズレ量が１／２ドット以下に抑えられる。
【００５６】
ところが、副走査方向における重ね合わせズレ量が１／２ドットである場合には、光書込開始タイミングを１ライン分の書込時間だけ前後にずらしたとしても、重ね合わせズレ量は変わらず１／２ドットのままとなる。また、副走査方向における重ね合わせズレ量が１／２ドット未満の場合には、光書込開始タイミングを１ライン分の書込時間の単位で前後にずらすと、重ね合わせズレ量を却って大きくしてしまう。このため、重ね合わせズレ量が１／２ドット未満の場合には、光書込開始タイミングの調整は行われない。
【００５７】
このように、タイミング調整制御では、画像全体として副走査方向に１／２ドット未満の重ね合わせズレが発生している場合に、光書込開始タイミングの調整によってその重ね合わせズレを低減することができない。ここで言う画像全体としての１／２ドット未満の重ね合わせズレとは、後述する感光体表面の速度変動に起因するものではなく、光書込開始タイミングが１／２ドット未満に相当する時間で望ましいタイミングからずれてしまっていることに起因するものである。例えば、６００［ｄｐｉ］の解像度の場合、１ドットは約４２［μｍ］であるため、タイミング調整制御を実施したとしても、最大で画像全体が副走査方向に約２１［μｍ］ずれてしまうこともある。
【００５８】
近年の高画質化の要望に応えるためには、このような画像全体における１／２ドット未満の重ね合わせズレも抑える必要がある。そこで、本プリンタの制御手段は、タイミング調整制御において、画像全体の副走査方向における１／２ドット未満の重ね合わせズレを検知した場合には、そのズレ量に応じた駆動速度補正値を算出してＲＡＭ等のデータ記憶手段に記憶する。そして、外部のパーソナルコンピュータ等から送られてくる画像情報に基づいて行うプリントジョブにおいて、各感光体（プロセス駆動モータ１２０Ｙ，Ｃ，Ｍ，Ｋ）をそれぞれ駆動速度補正値に基づいた駆動速度で駆動する。これにより、プリントジョブにおいては、必要に応じて、１／２ドット未満のズレ量に応じた線速差が感光体間に設けられる。そして、残っていた１／２ドット未満のズレ量が更に低減される。
【００５９】
但し、各感光体に線速差を設けると、感光体を１回転させる毎に、各感光体の速度変動パターンの位相関係を、理想の関係からずらしていってしまう。１枚のみの単独プリント動作であれば問題ないが、複数の記録紙に連続的にプリントを行う連続プリント動作の場合には、プリント枚数の増加に伴って、位相のズレ量が増加していき、重ね合わせズレが相当に大きくなってしまう。そこで、本プリンタでは、プリント速度よりも画質を優先する画質優先モードと、その逆の速度優先モードとを図示しない操作表示部への入力操作や、パーソナルコンピュータのプリントドライバによって選択可能にしている。そして、画質優先モードが選択されている場合であって、且つ連続プリントが実施される場合には、所定枚数の連続プリントが行われる毎に、連続プリントジョブを一時中断して、位相調整制御を行うようになっている。
【００６０】
図１２は、本プリンタの制御手段によって実施されるタイミング調整制御の処理内容を示すフローチャートである。タイミング調整制御では、まず、各プロセス駆動モータ（１２０Ｙ，Ｃ，Ｍ，Ｋ）の駆動が開始された後（ステップａ：以下、ステップをＳと記す）、上述の光学センサユニット１３６がＯＮされる（Ｓｂ）。次いで、上述した位置ズレ検知用画像ＰＶが中間転写ベルト４１上に形成された後（Ｓｃ）、それが光学センサユニット１３６によって検知される（Ｓｄ）。そして、光学センサユニット１３６がＯＦＦされた後（Ｓｅ）、位置ズレ検知用画像ＰＶの検知結果に基づいて、各色についてそれぞれスキュー補正量、主走査位置補正量、副走査位置補正量、主走査倍率誤差補正量及び主走査偏差補正量が求められる（Ｓｆ、Ｓｇ）。また、１／２ドット未満の副走査方向の位置ズレを低減するための各プロセス駆動モータ（１２０Ｙ，Ｃ，Ｍ，Ｋ）の速度が演算される（線速差）。その後、各種補正量に基づいて、主走査位置補正、副走査位置補正、主走査倍率誤差補正、主走査偏差補正及びスキュー補正がなされた後（Ｓｊ）、各プロセス駆動モータの駆動が停止される（Ｓｋ）。
【００６１】
本プリンタの図示しない制御手段は、各感光体についてそれぞれ、１回転あたりにおける速度変動パターンを検出するための変動パターン検出制御も、所定のタイミングで行うようになっている。所定のタイミングとしては、感光体交換時などといった速度変動パターンを変化させる操作がなされたとき、高画質プリントモードが選択されている状態でプリント命令がなされたとき、などが挙げられる。
【００６２】
変動パターン検出制御では、Ｙ，Ｃ，Ｍ，Ｋの各色についてそれぞれ、中間転写ベルト４１の表面上に速度変動検知用画像を形成する。この速度変動検知用画像としては、Ｋ用の速度変動検知用画像を例にすると、図１３に示すように、ｔｋ０１、ｔｋ０２、ｔｋ０３、ｔｋ０４、ｔｋ０５、ｔｋ０６・・・という複数のＫトナー像がベルト移動方向に沿って所定ピッチで並ぶようにしたものが形成される。但し、理論的には所定ピッチで並ぶようにしているが、Ｋ用の感光体の速度変動により、これらＫトナー像の実際の配設ピッチはその速度変動に応じた誤差が出てくる。この誤差を、時間ピッチ誤差として、上述の第１光学センサ（１３７）あるいは第２光学センサ（１３８）で読み取っていく。
【００６３】
本プリンタでは、Ｙ，Ｃ，Ｍ用の速度変動検知用画像を、必ずＫ用の速度変動検知用画像と１組にして形成するようになっている。具体的には、Ｙ用の速度変動検知用画像については、それを中間転写ベルトの一端部に形成する一方で、Ｋ用の速度変動検知用画像を中間転写ベルトの他端部に形成し、それらを第１光学センサと第２光学センサとによって同時に検知していく。ＣやＭ用の速度変動検知画像についても、同様にして、Ｋ用の速度変動検知用画像と同時に検知していく。よって、本プリンタの変動パターン検出制御では、Ｙ，Ｋという２つの速度変動検知用画像を形成してそれらを光学センサユニットによって検知していく工程と、Ｃ，Ｋという２つの速度変動検知用画像を形成してそれらを光学センサユニットによって検知していく工程と、Ｍ，Ｋという２つの速度変動検知用画像を形成してそれらを光学センサユニットによって検知していく工程とが実施される。このようにして速度変動パターンを検出する理由については後述する。
【００６４】
先に示した図１において、中間転写ベルト４１上に形成された位置ズレ検知用画像や速度変動検知用画像は、ベルトの無端移動に伴って光学センサユニット１３６との対向位置まで搬送される途中で、２次転写ローラ５０との対向位置を通過する。このとき、２次転写ローラ５０が中間転写ベルト４１に当接して２次転写ニップを形成していると、ベルト上の位置ズレ検知用画像や速度変動検知用画像が２次転写ローラ５０に接触してローラ表面に転移してしまう。そこで、本プリンタは、タイミング調整制御や変動パターン検出制御を実施する際には、それに先立って、図示しないローラ接離機構を駆動して、２次転写ローラ５０を中間転写ベルト５０から離間させる。これにより、位置ズレ検知用画像や速度変動検知用画像の２次転写ローラ５０への転移を回避する。
【００６５】
図１４は、本プリンタの制御手段における回路構成を示すブロック図である。タイミング調整制御や変動パターン検出制御が開始されると、まず、光学センサユニット１３６からの出力信号が増幅回路１３９によって増幅された後、フィルター回路１４０によってライン検知の信号成分のみが選別され、Ａ／Ｄ変換コンバーター１４１によってアナログデータからデジタルデータへと変換される。データのサンプリングは、サンプリング制御部１４２によって制御され、サンプリングされたデータはＦＩＦＯ（First-In First-Out）方式のメモリー回路１４３に格納される。位置ズレ検知用画像（ＰＶ）あるいは速度変動検知用画像の検知が終了すると、メモリー回路に格納されていたデータがＩ／Ｏポート１４４を介して、データバス１４５によってＣＰＵ１４６及びＲＡＭ１４７にロードされる。そして、ＣＰＵ１４６により、種々のズレ量を算出するための演算処理が行われる。種々のズレ量とは、各色トナー像の位置ズレ量、スキューズレ量、各感光体の速度変動パターンの位相ズレ量などである。この他、各色トナー像の主走査、副走査の倍率量の演算処理も行われる。
【００６６】
ＣＰＵ１４６は、求めたズレ量に基づいて、各色トナー像のスキュー補正、主走査方向の位置補正、副走査方向の位置補正、倍率補正などを行うためのデータを駆動制御部１５０や書込制御部１５１に記憶させる。駆動制御部１５０は、各感光体を駆動する４つのプロセス駆動モータを制御する回路である。また、書込制御部１５１は、光書込ユニットを制御する回路である。
【００６７】
書込制御部１５１は、ＣＰＵ１４６から送られてくるデータに基づいて各感光体に対する主走査方向や副走査方向の書込開始位置を調整するとともに、出力周波数を非常に細かく設定できるデバイス、例えばＶＣＯ（voltage controlled oscillator）を利用したクロックジェネレータなどを各色について備えている。本プリンタでは、その出力を画像クロックとして用いている。
【００６８】
駆動制御部１５０は、ＣＰＵ１４６から送られてくるデータに基づいて、各感光体の１回転あたりにおける速度変動の位相を適切に調整することができるように、各プロセス駆動モータについての駆動制御データを構築する。
【００６９】
なお、本プリンタでは、光学センサユニット１３６の発光手段の劣化が起こっても、検知用画像内のトナー像を確実に捉えることができるように、発光量制御部１５２が発光手段の発光量を制御している。これにより、光学センサユニット１３６の発光手段からの受光量を常に一定にする。
【００７０】
データバス１４５に接続されたＲＯＭ１４８内には、種々のズレ量を演算するためのアルゴリズム、プリントジョブを行うための制御プログラム、タイミング調整制御や変動パターン検出制御を行うためのプログラムなどが格納されている。また、後述の位相調整制御を行うためのプログラムも格納されている。なお、ＣＰＵ１４６は、アドレスバス１４９を介して、ＲＯＭアドレス、ＲＡＭアドレス、各種入出力機器の指定を行っている。
【００７１】
上述したように、速度変動検知用画像は、副走査方向に沿って所定のピッチで並ぶように形成された同一色の複数のトナー像から構成されている。先に示した図１３において、速度変動検知用画像内における個々のトナー像の間隔Ｐｓについては、できるだけ短く設定する必要があるが、各トナー像の幅や演算時間等の関係から、その短さの限界が決定される。また、速度変動検知用画像の副走査方向（ベルト移動方向）の長さＰａは、感光体の周長の整数倍の長さに設定されている。この設定にあたっては、中間転写ベルト上に速度変動検知用画像を形成したり検知したりする際に発生する他の周期変動も考慮する必要がある。他の周期変動としては、中間転写ベルトの駆動ローラの１回転あたりにおける線速変動、それらを駆動伝達する歯車のピッチ誤差や偏心成分、更には中間転写ベルト１０の蛇行や周方向にわたる厚み偏差分布など、様々な周波数成分が上げられる。速度変動パターンの検出値には、これらの周期変動成分の全てが重畳されて含まれており、その中から、感光体の１回転あたりにおける速度変動成分だけを検出する必要がある。
【００７２】
例えば、感光体の１回転あたりにおける速度変動成分の他に、中間転写ベルトの駆動ローラの１回転あたりにおける速度変動成分が、速度変動検知用画像内における各トナー像についての時間ピッチ誤差に多く含まれているとする。この場合には、駆動ローラの速度変動成分も考慮して速度変動検知用画像の長さＰａを設定する必要がある。感光体の直径が４０［ｍｍ］、駆動ローラの直径が３０［ｍｍ］であるとすると、中間転写ベルトの移動距離に換算した感光体の周期、駆動ローラの周期は、１２５．７［ｍｍ］、９４．２［ｍｍ］となる。この両周期の公倍数を速度変動検知用画像の長さＰａに設定すればよい。例えば、３７７［ｍｍ］である。そして、長さＰａに合わせて、各トナー像の間隔Ｐｓを設定すればよい。このような設定により、感光体の１回転あたりにおける速度変動パターンの最大振幅や位相値の算出が、駆動ローラの周期変成分の影響を受けずに高精度に検出することが可能になる。これは、最大振幅や位相値の算出において、理論上、駆動ローラの周期変動成分を含む演算項がちょうど「０」となることを利用している。同様にして、中間転写ベルトの周方向の厚み偏差分布による周期変動成分が多く含まれる場合には、感光体の周長整数倍で、ベルト１周に最も近い値に長さＰａを設定することで、中間転写ベルトの周期変動成分の影響を低減することが可能になる。また、駆動ローラを駆動するローラ駆動モータの周期変動成分のように、感光体の周期変動成分との周波数の差が１０倍以上あるようなものについては、それをローパスフィルタによって除去することが可能である。
【００７３】
なお、メモリー回路１４３に格納されたデータの各パルス幅は、光学センサユニット１３６の受光手段の受光量に応じてそれぞれ異なってくる。受光手段の受光量は、トナー像の濃度によって変化するので、メモリー回路１４３に格納されたデータの各パルス幅は、それぞれそれに対応するトナー像の濃度によって異なってくることになる。タイミング調整制御や変動パターン検出制御では、検知用画像内の各トナー像を精度良く検知しなければならないため、各パルス幅がそれぞれ異なっていても、それぞれを個別のトナー像に対応するものであるとＣＰＵ１４６に認識させる必要がある。そこで、本プリンタでは、ＣＰＵ１４６に対し、予め設定した閾値を超える幅のパルスを識別させるのではなく、パルスのピークを識別させるようにしている。これにより、感光体の速度変動に伴うトナー像の崩れによる濃度変化の影響を受け難くすることが可能になる。
【００７４】
その理由について、図１５や図１６を用いて詳述する。図１５は、感光体３と中間転写ベルト４１との当接による１次転写ニップを示す拡大模式図である。また、図１６（ａ）は、感光体３と中間転写ベルト４１とに速度差がないときに転写された検知用画像を検知する光学センサユニットからの出力パルスを示すグラフである。また、図１６（ｂ）は、１次転写ニップにおける感光体３の表面速度Ｖ０が中間転写ベルト４１の表面速度Ｖｂよりも速くなっているときに転写された検知用画像を検知する光学センサユニットからの出力パルスを示すグラフである。また、図１６（ｃ）は、１次転写ニップにおける感光体３の表面速度Ｖ０が中間転写ベルト４１の表面速度Ｖｂよりも遅くなっているときに転写された検知用画像を検知する光学センサユニットからの出力パルスを示すグラフである。
【００７５】
１次転写ニップでは、感光体３と中間転写ベルト４１が接触しながらも、それぞれ独立した速度で移動している。感光体３の表面速度Ｖ０と中間転写ベルト４１の表面速度Ｖｂとが等しい場合には、図１６（ａ）に示すように、光学センサユニットから出力される各トナー像に対応するパルス波がそれぞれ矩形状になる。このとき、各パルス幅の検知間隔は、多少の誤差があるにしても、概ねＰａＮとなる。これに対し、感光体３の表面速度Ｖ０が中間転写ベルト４１の表面速度Ｖｂよりも速い場合には、図１６（ｂ）に示すように、各パルス幅の検知間隔が、ＰａＮよりも短いＰａＨとなる。そして、各パルス幅の形状は、急激に立ち上がった後、徐々に降下していく右裾長の形になる。このような波形になるのは、感光体３と中間転写ベルト４１との速度差によってトナー像がベルト移動方向の上流側に崩れて、濃度ムラを発生させているからである。また、感光体３の表面速度Ｖ０が中間転写ベルト４１の表面速度Ｖｂよりも遅い場合には、図１６（ｃ）に示すように、各パルス幅の検知間隔が、ＰａＮよりも長いＰａＬとなる。そして、各パルス幅の形状は、徐々に立ち上がった後、急激に降下していく左裾長の波形になる。このような波形になるのは、感光体３と中間転写ベルト４１との速度差によってトナー像がベルト移動方向の下流側に崩れて、濃度ムラを発生させているからである。
【００７６】
閾値を超えたパルスをトナー像に対応するものであると認識させる場合には、図１６（ｂ）や（ｃ）の態様において、トナー像の崩れの影響によってパルスのピークが閾値を超えなくなり、トナー像を検知させることができなくなるおそれが出てくる。また、トナー像の最も濃度の高い箇所を検知させることができなくなるおそれも出てくる。そこで、本プリンタでは、パルスのピーク値をトナー像の検知タイミングとして取り扱うようになっている。具体的には、先に図１４に示したメモリー回路１４３内に格納されたデータに基づいて、ＣＰＵ１４６は、各パルスのピークを認識して、そのタイミング（データ番号）データをＲＡＭ１４７に格納する。これによって、時間ピッチ誤差をより正確に検出することができる。
【００７７】
ＲＡＭ１４７に格納されたデータで反映されている時間ピッチ誤差は、感光体の１回転あたりにおける速度変動に対応している。そして、感光体１回転あたりにおいては、最高速度や最低速度の発生時点が、感光体、感光体ギヤ、両者を接続するカップリングのうち、偏心量の最も大きなものによって生ずるサインカーブの上限や下限を迎える時点となる。そこで、このサインカーブのパターンや振幅を、マーキングがポジションセンサによって検知されるタイミングと関連付けて、速度変動パターンとして解析する。このときの解析法の１つとして、全データの平均値をゼロとして、変動値のゼロクロス、又はピーク値から変動成分の振幅と位相を解析する方法が挙げられる。しかし、検出データがノイズの影響を大きく受けるため、誤差が大きくなって実用的でない。そこで、本プリンタでは、速度変動パターンの振幅や位相を直交検波処理によって解析する手法を採用している。
【００７８】
直交検波処理とは、通信分野の復調回路に用いられている公知の信号解析技術である。それを行うための回路構成の一例を図１７に示す。光学センサユニットからの出力波形に基づくＲＡＭ内の格納データは、感光体の速度変動成分の他、いくつかの速度変動成分が重畳された単調増加のデータ群となるので、増加傾向（傾き）分が除かれた変動データに変換される。増加傾向（傾き）分は、データ群から最小二乗法により求めることができ、倍率補正数値として扱われる。変換後の変動データが、次のように処理される。即ち、発振器１６０は、検出したい周波数成分、ここでは、感光体の回転周期ωｏの周波数に調整された周波数信号を、検知用画像の形成時に用いられた基準タイミングに基づく位相で発振する。この周波数信号は、第１乗算器１６１に直接出力されたり、９０°位相シフト器１６２を介して第２乗算器１６３に出力されたりする。感光体の回転周期ωｏについては、感光体ギヤ上のマーキングの検出信号間隔を計測することで正確に求めることができる。第１乗算器１６１は、ＲＡＭ内に格納された変動データと、発振器１６０からの周波数信号とを乗算する。また、第２乗算器１６３は、ＲＡＭ内に格納された変動データと、９０°位相シフト器１６２からの周波数信号とを乗算する。これらの乗算により、変動データを感光体と同じ位相成分（I成分）の信号と、直交成分（Q成分）の信号とが分離される。第１乗算器１６１からの出力がI成分であり、第２乗算器１６３からの出力がQ成分となる。第１ＬＰＦ１６４は、Ｔ成分における低周波帯域の信号のみを通過させる。本プリンタでは、発振周期ωｏの整数倍周期分のデータのみを透過させるべく、速度変動検知用画像の長さＰａ分のデータを平滑化するローパスフィルタを採用している。第２ＬＰＦ１６５も同様である。長さＰａ分のデータを平滑化することで、駆動ローラなどの回転周期成分は平滑化処理で相殺されて「０」となる。そして、振幅演算部１６６は、２つの入力（I成分とQ成分）に対応する振幅ａ（ｔ）を算出する。また、位相演算部１６７は、２つの入力（I成分とQ成分）に対応する位相ｂ（ｔ）を算出する。これら振幅ａ（ｔ）と位相ｂ（ｔ）とが、感光体の周期変動の振幅と任意の基準タイミングからの位相角に相当する。なお、原動ギヤの回転周期成分の振幅と位相を検出したい場合には、発振周期ωｏを高次成分のモータ回転周期に設定した同様の処理を行えばよい。
【００７９】
このような直交検波処理で行うことで、変動のゼロクロスやピーク検知による算出では難しかった少ない変動データで振幅や位相の算出が可能となる。特に、感光体１回転周期に対して検知用画像内のトナー像数が４ＮＰ個（ＮＰは自然数）となるように各トナー像の間隔Ｐｓを設定することで、少ないトナー像数でも振幅や位相を高精度に算出することが可能になる。これは、４ＮＰ個のトナー像の位置関係が変動成分に対して、最も差の大きな位置関係となることから感度が最も高くなるためである。例えば、４個のトナー像の場合、それぞれが、変動のゼロクロスとピーク位置に相当するため、検出感度が高くなる。４個のパターンの位相がずれても検出感度が高い位置関係となっていることには変わりない。
【００８０】
このようにして解析された速度変動パターンに基づいて、ＣＰＵ１４６は、各感光体の駆動制御補正データを算出し、駆動制御部１５０に送信する。この駆動制御補正データは、各感光体の回転周期変動の打消すように各感光体の回転位相を調整して、それぞれの速度変動パターンの位相を調整するためのデータである。
【００８１】
各感光体の速度変動パターンを検出する変動パターン検出制御により、速度変動パターンに応じて算出された上述の駆動制御補正データは、各感光体の速度変動パターンの位相を調整する位相調整制御で利用される。この位相調整制御により、感光体上のトナー像の転写位置に対する進入タイミングの早遅パターンを各直の転写位置で相対的に同期させる。本プリンタでは、各感光体の配設ピッチが感光体周長の１倍になっているので、このようにするには各感光体の速度変動パターンの位相を互いに同期させればよい。即ち、各プロセス駆動モータの駆動量を一時的に変化させて各感光体の表面速度が最高速度になる時点や最低速度になる時点を完全に一致させるように、各感光体の速度変動パターンの位相を調整するのである。これにより、感光体上のトナー像の転写位置に対する進入タイミングの早遅パターンを各色の転写位置で相対的に同期させることができる。
【００８２】
本プリンタでは、このような位相調整制御を、プリントジョブ毎のジョブ終了時に行うようになっている。位相調整制御については、各プリントジョブ毎のジョブ開始時に行ってもよいが、そうすると、ジョブ動作開始から１枚目のプリントを行うまでの間に位相調整制御を行うことになるため、ファーストプリント時間を長くしてしまう。そこで、ジョブ終了時に位相調整制御を行うのである。こすることで、ファーストプリント時間を長くすることなく、次回のプリントジョブにおいて理想的な速度変動パターンの位相関係で、各感光体の駆動を開始することができる。
【００８３】
なお、本プリンタでは、先に説明したように各感光体に線速差を設けることで画像全体の１／２ドット未満の重ね合わせズレを低減するようになっているが、変動パターン検出制御を実行する場合には、各感光体に線速差を設けずに、それぞれ同じ速度で駆動する。これにより、線速差による速度変動パターンの検知精度の悪化を回避することができる。
【００８４】
感光体の１回転あたりにおける速度変動パターンは、機内温度の変化や、外力の影響を受け難い。このため、変動パターン検出制御は、タイミング調整制御とは異なり、それほど頻繁に行う必要がない。但し、プロセスユニットが脱着された場合には、そのプロセスユニットの感光体についての速度変動パターンが大きく変化してしまう可能性がある。そこで、本プリンタでは、４つのプロセスユニットの何れかが脱着された時だけ、変動パターン検出制御を行うようになっている。プロセスユニットの脱着については、図示しない脱着検知手段によって検知する。
【００８５】
脱着検知手段としては、各プロセスユニットをそれぞれ個別に検知する４つのユニット検知センサからの出力信号の何れかが、オフになった後にオンになったことに基づいて、検知する方式のものを例示することができる。ユニットＩＤ番号を記憶させたＩＣを実装した電子回路基板を各プロセスユニットに設け、その電子回路基板と制御手段とを突き当て接点を介して接続し、ユニットＩＤ番号の変化に基づいて、プロセスユニットの交換を検知する方式のものでもよい。
【００８６】
変動パターン検出制御については、必ずタイミング調整制御と組み合わせて実行するようになっている。具体的には、プロセスユニットの脱着を検知すると、タイミング調整制御を実施した後、変動パターン検出制御と位相調整制御とを実施してから、タイミング調整制御を更にもう一度実施する。このような一連の制御フロー（以下、プロセスユニット脱着検知後ルーチンという）の途中で、プリントジョブを入れることはない。
【００８７】
本プリンタでは、プロセスユニット脱着検知後ルーチンにおいて、一回目のタイミング調整制御を終えると、変動パターン検出制御を行う前に、各感光体の駆動を停止する。このとき、脱着前の速度変動パターンの位相に合わせた位相調整制御に基づいて各感光体の駆動を停止させるのではなく、各感光体を予め定められた基準の回転位相で停止させる。具体的には、感光体ギヤのマーキングを検知した時点から所定時間後である基準タイミングで各プロセス駆動モータをそれぞれ停止させる。これにより、各感光体ギヤのマーキングを同じ回転角度に位置させた状態で、各感光体が停止する。このようにして各感光体を停止させることで、変動パターン検出制御を実施する際には、各感光体をそれぞれ同じ姿勢から回転させる。
【００８８】
変動パターン検出制御においては、Ｙ，Ｃ，Ｍ用の速度変動検知用画像を、それぞれＫ用の速度変動検知用画像と一緒に形成して、両方を同時に検知する。これは、基準像担持体であるＫ用の感光体の速度変動パターンを基準にして、他の感光体における速度変動パターンの位相を、Ｋ用の感光体における速度変動パターンの位相に正確に合わせるためである。更には、中間転写ベルトの速度変動成分の影響をより確実に取り除くためでもある。より詳しく説明すると、速度変動パターンには、感光体の速度変動の他に、光学センサユニットとの対向位置における中間転写ベルトの速度変動も反映されてしまう。このため、たとえ速度検知用画像内の各トナー像が中間転写ベルト上で厳密に等間隔で並んでいたとしても、光学センサユニットとの対向位置における中間転写ベルトの速度が変化すると、それに応じて各トナー像についての時間ピッチ誤差が発生してしまう。この時間ピッチ誤差を取り除くためには、基準となるＫ用の速度変動検知用画像と、他色の速度変動検知画像とを同時に検知する必要がある。
【００８９】
そこで、本プリンタでは、Ｙ，Ｃ，Ｍ用の速度変動検知用画像を、それぞれＫ用の速度変動検知用画像と１組にして、一方を中間転写ベルトの幅方向の一端部に、他方を他端部に形成する。このとき、Ｋ用の速度変動検知用画像については、Ｋ用のマーキング（１３４Ｋ）を検知したタイミングに基づいて形成を開始する（光書込を開始する）。また、Ｙ，Ｃ，Ｍ用の速度変動検知用画像についても、それぞれに対応するマーキング（１３４Ｙ，Ｃ，Ｍ）ではなく、Ｋ用のマーキングを検知したタイミングに基づいて形成を開始する。これにより、Ｙ，Ｃ，Ｍ用の速度変動検知用画像の先端と、Ｋ用の速度変動検知用画像の先端とを、互いにベルト幅方向に一直線上に位置させるようにする。
【００９０】
このようにして、Ｙ，Ｃ，Ｍ用の速度変動検知用画像に基づいて検出される速度変動パターンと、Ｋ用の速度変動検知用画像に基づいて検出される速度変動パターンとの位相ズレを検出する。すると、その位相ズレに相当する分だけ、Ｋ用のマーキングと、Ｙ，Ｃ，Ｍ用のマーキングとの回転位置をずらせば、両速度変動パターンの位相合わせができることになる。変動パターン検出制御に先立って、各マーキングの回転位相を同期させているので、速度変動パターンの位相ズレ量がマーキングの望ましい位相ズレ量に相当するようになるからである。
【００９１】
このような変動パターン検出制御では、Ｙ，Ｃ，Ｍ用のマーキングの検知タイミングを参照することなく、Ｙ，Ｃ，Ｍ用の速度変動パターンと、Ｋ用の速度変動パターンとの位相ズレを検出することができる。但し、プロセスユニットの脱着に起因して、各色の重ね合わせズレ量が脱着前よりも大きくなっている場合には、その分だけ位相ズレの検出結果がシフトしてしまう。そこで、変動パターン検出制御に先立って、タイミング調整制御を行って、各色間での重ね合わせズレ量を予め低減しておくのである。
【００９２】
なお、上述の時間ピッチ誤差をある程度許容してよい場合には、各色の速度変動検知用画像をそれぞれ主走査方向に並べずに個別に形成するようにして、光学センサの数を低減してもよい。この逆に、光学センサの数を４個にすれば、全色の速度変動検知用画像を主走査方向に並べてそれぞれを同時に検知することが可能になるので、変動パターン検出制御の実施時間を短くすることができる。速度変動検知用画像について、基準色と、これ以外の１色とをペアにして並べて形成するか、全色を別々に形成するか、全色を並べて形成するかについては、装置に要求されるスペックやコストなどに応じて選択すればよい。
【００９３】
図１８は、プロセスユニット脱着検知後ルーチンの制御フローを示すフローチャートである。何れかのプロセスユニットの脱着が検知されると、まず、タイミング調整制御が実施された後（Ｓ１）、エラーの発生の有無が判断される（Ｓ２）。そして、エラーが発生した場合には（Ｓ２でＹ）、速度変動パターンの位相を調整するための駆動制御補正データが脱着前の値に戻された後（Ｓ３）、位相調整制御が実施される（Ｓ４）。この位相調整制御により、脱着前の駆動制御補正データに基づいて、各感光体がそれぞれ速度変動パターンの位相を同期させる姿勢で停止された後、図示しない操作表示部にエラー表示がなされる（Ｓ５）。そして、各プロセス駆動モータの線速差設定がＯＮされた後（Ｓ６）、一連の制御フローが終了する。なお、線速差設定がＯＮされたことで、その後のプリントジョブにおいて、１／２ドット未満の重ね合わせズレを抑えるように各感光体に線速差が設けられる。
【００９４】
上記Ｓ２のステップでエラーが発生しなかったと判断されると、予め定められた基準タイミングで各プロセス駆動モータの駆動が停止される（Ｓ７）。これにより、各感光体ギヤが互いに同じ回転位置にマーキングを位置させた姿勢で停止する。その後、各プロセス駆動モータの線速差設定がＯＦＦされた後（Ｓ８）、各プロセス駆動モータが再駆動されてから、変動パターン検出制御が行われる（Ｓ９、Ｓ１０）。変動パターン検出制御に先立って、各プロセス駆動モータの線速差設定がＯＦＦされることで、変動パターン検出制御においては、各感光体が等速で駆動される。これにより、変動パターン検出制御で感光体の線速差を設けることによる各速度変動パターンの検出精度の悪化を回避することができる。変動パターン検出制御が終了すると、読取エラーの有無が判断される（Ｓ１１）。そして、読取エラーが発生したと判断されると（Ｓ１１でＹ）、上述したＳ２〜Ｓ６までのステップが実行された後、一連の制御フローが終了する。
【００９５】
上記Ｓ１１のステップで読取エラーが発生しなかったと判断されると、位相調整制御が実施される（Ｓ１２）。これにより、新たな駆動制御補正データに基づいて、各感光体がそれぞれ速度変動パターンの位相を同期させる姿勢で停止される。その後、各プロセス駆動モータが再駆動された後（Ｓ１３）、再びタイミング調整制御が行われる（Ｓ１４）。この２回目のタイミング調整制御により、プロセスユニットの脱着による何れかの感光体の速度変動パターンの変化に起因して、不適切になってしまった各色の光書込開始タイミングを補正する。そして、エラーの有無が判断された後（Ｓ１５）、エラーが発生した場合には（Ｓ１５でＹ）、上述したＳ４〜Ｓ６のステップを経て、一連の制御フローが終了する。
【００９６】
上記Ｓ１５のステップでエラーが発生しなかったと判断されると、位相調整制御によって各プロセス駆動モータの駆動が停止された後（Ｓ１６）、各プロセス駆動モータの線速差設定がＯＮされてから（Ｓ１７）、一連の制御フローが終了する。
【００９７】
次に、第１実施形態に係るプリンタの各変形例について説明する。なお、以下に特筆しない限り、各変形例に係るプリンタの構成は、第１実施形態に係るプリントと同様である。
［第１変形例］
図１９は、第１実施例に係るプリンタにおけるＹ用のプロセスユニット１Ｙを示す斜視図である。このプロセスユニット１Ｙにおける感光体ユニット２Ｙの側面には、図示しないＩＣチップが実装されたユニット識別電子回路基板２００Ｙが設けられている。このユニット識別電子回路基板２００ＹのＩＣチップは、感光体ユニット２Ｙの個々の製品毎に異なった値が付与されているユニットＩＤ番号を記憶している。プロセスユニット１Ｙがプリンタ本体に装着されると、ユニット識別電子回路基板２００Ｙと、プリンタ本体側の制御手段とが突き当て接点を介して接続され、両者間での通信が可能になる。この状態において、制御手段は、ユニット識別電子回路基板２００ＹのＩＣチップ内に格納されているユニットＩＤ番号を読み込むことができる。
【００９８】
ユニット識別電子回路基板２００Ｙは、前述の状態において、所定のユニット装着信号を制御手段に送信し続けるようになっている。制御手段は、このユニット装着信号を受信しなくなってから、再び受信するようになったことに基づいて、Ｙ用のプロセスユニット１Ｙの着脱を検知する。即ち、本第１変形例に係るプリンタでは、ユニット識別電子回路基板２００Ｙ、制御手段、上述した突き当て接点などにより、プロセスユニット１Ｙの着脱を検知する着脱検知手段が構成されている。
【００９９】
制御手段は、プロセスユニット１Ｙの装着を検知すると、上記ＩＣチップ内に格納されているユニットＩＤ番号を読み込んで、ＲＡＭ内に記憶している装着中ユニットＩＤ番号のデータを読込結果のデータに更新する。但し、この更新に先立って、読み込んだばかりのユニットＩＤ番号と、ＲＡＭ内に記憶している装着中ユニットＩＤ番号とについて、同一であるか否かを判断する。そして、同一でない場合には、プロセスユニット１Ｙの交換がなされたと判定する。即ち、本第１変形例に係るプリンタでは、制御手段等からなる脱着検知手段として、プリンタ本体に対するプロセスユニット１Ｙの着脱操作について、プロセスユニット１Ｙを一時的に取り外し後に再装着した操作であるのか、プロセスユニット１Ｙの交換操作であるのかを判定可能なものを用いている。
【０１００】
なお、Ｙ用のプロセスユニット１Ｙについて説明したが、他色用のプロセスユニット（１Ｃ，Ｍ，Ｋ）も同様の構成になっており、制御手段は、全てのプロセスユニットについて、交換されたのか、あるいは一時的な取り外し後の再装着なのかを判定することができる。
【０１０１】
ここで、プロセスユニットが交換された場合には、交換後のユニットが新品であるのか、他のプリンタである程度使用されたものであるのか、過去に本プリンタである程度使用したものであるのか、にかかわらず、現像バイアス等の作像条件の設定が不適切になってしまった可能性がある。そして、不適切になってしまったにもかかわらず、交換前の作像条件のままでタイミング調整制御や変動パターン検出制御を行うと、位置ズレ検知用画像や速度変動検知用画像を適切な濃度で形成することができずに、それら画像の検出エラーを引き起こしたり、誤調整を行ってしまったりするおそれがある。
【０１０２】
そこで、本プリンタでは、何れかのプロセスユニットの着脱を検知し、その着脱についてユニットの交換によるものであると判定した場合には、作像条件調整制御を行って新たなユニットに適した作像条件にしてから、タイミング調整制御や変動パターン検出制御を行うようになっている。但し、着脱についてユニットの一時的な取り外し後の再装着であると判定した場合には、作像条件調整制御を行わずに、タイミング調整制御や変動パターン検出制御を行う。再装着の場合には、作像条件の適正値がそれほど変化しないからである。
【０１０３】
図２０は、何れかのプロセスユニットが交換された場合に、本プリンタの制御手段によって実施されるプロセスユニット脱着検知後ルーチンの制御フローを示すフローチャートである。先に図１８に示したフローチャートと異なるのは、変動パターン検出制御やタイミング調整制御が行われる前に、作像条件調整制御が行われる点である（Ｓ０）。このようなフローにより、交換後のプロセスユニットの作像条件が不適切なままにタイミング調整制御や変動パターン検出制御を行ってしまうことによる画像（ＰＶや速度変動検知用画像）の検出エラーや、誤調整の発生を回避することができる。
【０１０４】
作像条件調整制御では、４つのプロセスユニット１Ｙ，Ｃ，Ｍ，Ｋについてそれぞれ、感光体３Ｙ，Ｃ，Ｍ，Ｋの表面に階調パターン像を形成し、これを中間転写ベルト４１上に転写する。Ｙ，Ｍ，Ｃ，Ｋの階調パターン像は、それぞれ単位面積あたりのトナー付着量が互いに異なる複数の基準パッチ（基準トナー像）からなる。具体的には、複数のＭ基準パッチからなるＭ階調パターン像、複数のＣ基準パッチからなるＣ階調パターン像、複数のＹ基準パッチからなるＹ階調パターン像を中間転写ベルト４１上に形成するのである。これら階調パターン像は、それぞれベルト移動方向に一直線上に並ぶように形成される。
【０１０５】
作像条件調整制御では、これら階調パターン像を上述した光学センサユニット１３６で検知した結果に基づいて、現像バイアスなどといった各種の作像条件が調整される。作像条件調整制御で行われる処理をおおまかに分類すると、Ｖｓｇ調整処理と、電位設定値調整処理と、中間調光書込γ補正処理との３つに大別される。Ｖｓｇ調整処理では、検知対象面である中間転写ベルト４１の地肌部（トナー付着のない表面）を検知した光学センサユニット１３６からの出力電圧値が、所定の値（例えば、４．０±０．２Ｖ）になるように、光学センサユニット１３６の発光素子からの発光量が調整される。また、電位設定値調整処理では、中間転写ベルト４１上に形成した階調パターン像（例えば各色についてそれぞれ１０階調パターン）における各基準パッチを光学センサユニットによって検知し、各基準パッチに対応する出力電圧値に基づいて適切な現像γを算出する。そして、算出結果に基づいて、狙いの画像濃度を得ることができる感光体一様帯電電位、現像バイアス、光書込強度を特定して、それぞれを設定値とする。また、中間調光書込γ補正処理では、各基準パッチに対応する光学センサユニット１３６からの出力電圧値と、狙いとする階調特性とのずれ量に基づいて、各階調に対応する光書込強度の設定値である書込γをそれぞれ補正することにより、狙いの階調特性が得られるようにする。なお、現像γとは、現像ポテンシャルと、単位面積たりにおけるトナー付着量との関係を示すグラフの傾きのことである。また、現像ポテンシャルとは、感光体表面の静電潜像と、現像バイアスが印加される現像スリーブ表面との電位差のことである。
【０１０６】
［第２変形例］
図２１から図２５は、それぞれ、何れかのプロセスユニットが交換された場合に、本第２変形例に係るプリンタの制御手段によって実施されるプロセスユニット脱着検知後ルーチンの制御フローを示すフローチャートである。この制御フローでは、Ｙ，Ｍ，Ｃ用の速度変動パターン検出制御をそれぞれ個別に行う。そして、タイミング調整制御や、Ｙ，Ｃ，Ｍ用の速度変動パターン検出制御を行う毎に、各プロセス駆動モータ（１２０Ｙ，Ｃ，Ｍ，Ｋ）の停止と駆動再開とを繰り返す。また、各プロセス駆動モータについては、必ず線速差の設定をＯＦＦした状態、即ち、全てのプロセス駆動モータを等速で駆動する条件で、駆動を開始する。なお、本プリンタでは、第１実施形態に係るプリンタと同様に、Ｙ，Ｃ，Ｍ用の速度変動パターンについては、それぞれＫ用の速度変動パターンとのズレを検知するようになっている。
【０１０７】
プロセスユニットの交換については、第１変形例と同様にして、プロセスユニットのユニット識別電子回路基板から送られてくる信号に基づいて制御手段が検知する。何れかのプロセスユニットの着脱が検知されると、まず、図２１に示すように、駆動停止遅延時間Ｔ１の値が「０」にリセットされる（Ｓ１）。この駆動停止遅延時間Ｔ１は、位相調整制御が行われる際の各プロセス駆動モータにおける基準タイミングからの駆動停止遅延時間である。それぞれ「０」にリセットされたことで、各プロセス駆動モータはそれぞれ上述した基準タイミングで停止される。
【０１０８】
駆動停止遅延時間Ｔ１が「０」にリセットされると、次に、タイミング調整制御が行われた後（Ｓ２）、エラーの発生の有無について判断される（Ｓ３）。そして、エラーがあった場合（Ｓ３でＹ）には、各プロセス駆動モータの駆動が停止されてエラーメッセージが操作表示部に表示される（Ｓ４）。この後、駆動停止遅延時間Ｔ１が前回の値に戻されてから（Ｓ５）、一連の制御フローが終了する。これに対し、エラーがなかった場合（Ｓ３でＮ）には、各プロセス駆動モータがそれぞれ基準タイミングで停止された後（Ｓ６）、後述するＳ７以降のフローが実行される。
【０１０９】
上記Ｓ６で各プロセス駆動モータが基準タイミングで停止されると、次に、図２２に示すように、各プロセス駆動モータの線速差設定がＯＦＦされた後（Ｓ７）、各プロセス駆動モータの駆動が開始される（Ｓ８）。このように、線速差設定がＯＦＦされた状態で各プロセス駆動モータの駆動が開始されることで、各プロセス駆動モータの速度変動パターンの位相ズレが、基準タイミングでモータ駆動停止したときの基準位相ズレ量となる。これに対し、線速差を設けた状態で各プロセス駆動モータの駆動を開始した後、線速差設定をＯＦＦすると、駆動開始から線速差設定ＯＦＦまでの間に、各プロセス駆動モータの速度変動パターンの位相ズレが、基準位相ズレ量から更にずれてしまい、正確な位置ズレ補正や速度変動パターンの検出が困難になってしまう。
【０１１０】
上記Ｓ８で各プロセス駆動モータが線速差のない状態で駆動されると、次に、Ｙ変動パターン検出制御により、Ｋ−Ｙ速度変動検知用画像の形成や読み取りが行われる（Ｓ９、Ｓ１０）。そして、読み取りエラーの有無が判断され（Ｓ１１）、エラーがあった場合（Ｓ１１でＹ）には、各プロセス駆動モータの駆動が停止されてエラーメッセージが操作表示部に表示される（Ｓ１２）。この後、駆動停止遅延時間Ｔ１が前回の値に戻され（Ｓ１３）、且つ線速差設定がＯＮされてから、一連の制御フローが終了する。これに対し、エラーがなかった場合（Ｓ１１でＮ）には、各プロセス駆動モータがそれぞれ基準タイミングで停止され（Ｓ１５）、且つ線速差設定がＯＮされてから（Ｓ１６）、後述するＳ１７以降のフローが実行される。
【０１１１】
Ｓ１７からＳ２６までのフローは、図２３に示すように、Ｙ変動パターン検出制御に代えてＣ変動パターン検出制御が行われる点（Ｓ１９、Ｓ２０）の他は、図２２に示したフローと同様である。また、Ｓ２７〜Ｓ３４までのフローは、図２４に示すように、Ｙ変動パターン検出制御に代えてＭ変動パターン検出制御が行われる点（Ｓ２９、Ｓ３０）の他は、図２２におけるＳ７からＳ１４までのフローと同様である。Ｍ変動パターン検出制御の後に読み取りエラーがなかったと判断されると（Ｓ３１でＮ）、Ｙ，Ｃ，Ｍ用の駆動停止遅延時間Ｔ１がＹ，Ｃ，Ｍ変動パターン検出制御によって演算された値に設定された後（Ｓ３５）、位相調整制御の実施により、速度変動パターンの位相が調整された状態で各プロセス駆動モータが停止される（Ｓ３６）。そして、線速差設定がＯＮされた後（Ｓ３７）、後述するＳ３８以降のフローが実行される。
【０１１２】
Ｓ３８以降のフローでは、図２５に示すように、まず、線速差設定がＯＦＦされた後（Ｓ３８）、各プロセス駆動モータが駆動される（Ｓ３９）。次いで、タイミング調整制御が行われた後（Ｓ４０）、エラーの発生の有無が判断される（Ｓ４１）。そして、エラーがあった場合（Ｓ４１でＹ）には、エラー表示や各プロセス駆動モータの駆動停止が行われた後、線速差設定がＯＮされてから、一連の制御フローが終了する。これに対し、エラーがなかった場合（Ｓ４１でＮ）には、位相調整制御によって変動パターンの位相が調整された状態で各プロセス駆動モータの駆動が停止された後（Ｓ４５）、線速差設定がＯＮされてから一連の制御フローが終了する。
【０１１３】
かかる構成の本第２変形例に係るプリンタでは、タイミング調整制御や変動パターン検出制御を行うために各プロセス駆動モータの駆動を開始する際には、必ず線速差設定をＯＦＦした状態、即ち、全てのプロセス駆動モータを等速で駆動する条件で駆動させる。これにより、線速差を設けた状態で各プロセス駆動モータの駆動を開始した後に線速差設定をＯＦＦにすることによる補正精度や検出精度の悪化を回避することができる。
【０１１４】
［第３変形例］
図２６は、本第３変形例に係るプリンタを示す斜視図である。このプリンタは、本体筐体の前面に、回動に伴って本体筐体に対して開閉可能な前面扉２０５を有しており、これを本体筐体に対して開くことで、本体筐体の前面に設けられたメンテナンス用の開口２０６を露出させることができる。この開口２０６を露出させると、図示のように、これを通して内部の転写ユニット４０や各色のプロセスユニット１Ｙ，Ｃ，Ｍ，Ｋが外部に露出する。この状態で転写ユニット４０やプロセスユニット１Ｙ，Ｃ，Ｍ，Ｋをプリンタ前後方向にスライド移動させることで、それらを筐体内から引き出したり、筐体内に装着したりすることができるようになっている。
【０１１５】
前面扉２０５の開閉動作は、開口２０６の下隅付近に設けられた開閉検知スイッチ２０７によって検知される。この開閉検知スイッチ２０７は、プリント動作中に前面扉２０５が開かれたときには動作を強制停止させるなどといった安全上の配慮から、必要不可欠なものである。
【０１１６】
本プリンタでは、各色のプロセスユニット１Ｙ，Ｃ，Ｍ，Ｋの筐体に対する着脱を、それぞれ直接的に検知する方式の変わりに、開閉動作検知手段たる開閉検知スイッチ２０７による検知結果に基づいて、間接的に検知するようになっている。具体的には、開閉検知スイッチ２０７によって前面扉２０５の開動作が検知された後、閉動作が検知されると、制御手段はそのことに基づいて何れかのプロセスユニットの着脱がなされたものとみなす。
【０１１７】
かかる構成では、各色のプロセスユニットの着脱をそれぞれ個別に検知するための専用のセンサを設けることなく、従来から用いられていた開閉検知スイッチ２０７による検知結果に基づいてそれらの着脱を間接的に検知することで、低コスト化を図ることができる。
【０１１８】
次に、参考形態のプリンタについて説明する。なお、以下に特筆しない限り、参考形態に係るプリンタの構成は、第１実施形態と同様である。
【０１１９】
参考形態に係るプリンタにおいては、位相調整制御を実施しない代わりに、各プロセス駆動モータの駆動速度を速度変動パターンとは逆位相になるパターンで変化させる制御を行う点が、第１実施形態に係るプリンタと異なっている。具体的には、感光体の速度変動パターンは、既に何度も述べているように、感光体１回転あたりで１周期分のサイン波を描くようなパターンになる。あるサイン波に対し、これと周期及び振幅が等しい別のサイン波を逆位相の状態で合成すると、一方のサイン波における上昇波部分を他方のサイン波における下降波部分でちょうど打ち消すことで、サイン波を完全に消滅させることができる。そこで、本プリンタの制御手段は、変動パターン検出制御で検出した各感光体についての速度変動パターンに基づいて、それぞれそのサイン波と同周期で且つ振幅が等しくなる逆位相のサイン波を発生させ得るプロセス駆動モータ（１２０Ｙ，Ｃ，Ｍ，Ｋ）の駆動速度パターンを解析する（駆動速度パターン決定制御）。そして、各プロセス駆動モータ（１２０Ｙ，Ｃ，Ｍ，Ｋ）をそれぞれ決定した駆動速度パターンで駆動した状態でタイミング調整制御を行った後、プリントプロセスを実行する。
【０１２０】
各感光体の速度変動パターンは、それぞれほぼ同じ周期であるものの、振幅を互いに異ならせていることが多い。各感光体やギヤの偏心量が各色で微妙に異なっているからである。このため、各感光体の速度変動に起因する重ね合わせズレについては、位相調整制御によって各感光体の速度変動の位相を合わせたとしても、振幅の違いによるごく僅かなズレが残ってしまう。即ち、第１実施形態に係るプリンタにおいては、このようなごく僅かなズレが残ってしまう。
【０１２１】
これに対し、本プリンタでは、感光体の速度変動そのものをほぼ無くすことにより、第１実施形態に係るプリンタに比べて、各感光体の速度変動に起因する重ね合わせズレを抑えることができる。
【０１２２】
図２７は、本プリンタの制御手段によって実施されるプロセスユニット交換検知後ルーチンの制御フローを示すフローチャートである。この制御フローでは、変動パターン検出制御において読取エラーがない場合に（Ｓ１１でＮ）、位相調整制御に代えて、駆動速度パターン決定制御が行われる点（Ｓ１２）が、先に示した図１８の制御フローと異なっている。また、各プロセス駆動モータを一旦停止させることなくタイミング調整制御Ｓ１４が行われる点も図１８の制御フローと異なっている。また、フローの最後において各プロセス駆動モータを停止させる際の位相調整制御が行われない点も、図１８の制御フローと異なっている。
【０１２３】
図２７に示すように、本プリンタでは、Ｓ１４のタイミング調整制御に先立って、駆動速度パターン決定制御にて決定された駆動速度パターンによって各プロセス駆動モータが駆動される。このため、各感光体の速度変動がほとんど起こらない状態でタイミング調整制御が実施される。
【０１２４】
なお、プロセスユニット交換検知後ルーチンのときだけでなく、通常のプリントプロセスにおいても、駆動速度パターン決定制御にて決定された駆動速度パターンによって各プロセス駆動モータが駆動される。
【０１２５】
第１実施形態に係るプリンタにおいては、上述したように、各感光体の１回転あたりにおける速度変動パターンの位相を同期させることで各感光体の速度変動に起因する重ね合わせズレを抑えるとともに、各感光体に微妙な線速差を設けることで副走査方向における１／２ドット未満の重ね合わせズレを抑えていた。かかる構成において、連続プリントモードでは、プリント枚数が増えていくに従って、各感光体の線速差による速度変動パターンの位相のズレ量が徐々に大きくなってしまう。このため、上述したように、連続プリント枚数が所定枚数に達する毎に、連続プリント動作を一時停止して位相調整制御を行う必要があった。これに対し、本プリンタにおいては、速度変動パターンの位相を調整するのではなく、各感光体の速度変動自体を抑えるようになっているため、各感光体に線速差を設けても、連続プリント枚数の増加に伴う重ね合わせズレ量の増大をきたさない。よって、連続プリント動作を一時停止することによるユーザーの待ち時間の増加を回避することができる。
【０１２６】
次に、本発明を適用したプリンタの第２実施形態について説明する。なお、以下に特筆しない限り、第２実施形態に係るプリンタの構成は、第１実施形態と同様である。
【０１２７】
本発明者らは、参考形態に係るプリンタのように、各感光体の速度変動パターンとは逆位相で且つ振幅が等しい駆動速度パターンで各プロセス駆動モータを駆動すれば、各色の重ね合わせズレは完全に解消されると考えていた。しかしながら、実験を行ったところ、重ね合わせズレをかなりのレベルまで低減することができたものの、完全に無くすことはできなかった。これは、速度変動パターンの検知誤差、プロセス駆動モータの回転精度、モータ回転制御誤差などがあるためと考えられる。
【０１２８】
そこで、第２実施形態に係るプリンタにおいては、ほんの僅かに残ってしまう重ね合わせズレをも抑えるために、駆動速度パターンによる駆動と、位相調整制御とを組み合わせて行うようになっている。このようにすることで、ほんの僅かに残ってしまう各感光体のサインカーブ状の速度変動パターンの位相を合わせて、重ね合わせズレをほぼゼロにすることができる。
【０１２９】
図２８は、本プリンタの制御手段によって実施されるプロセスユニット交換検知後ルーチンの制御フローを示すフローチャートである。この制御フローでは、変動パターン検出制御において読取エラーがない場合に（Ｓ１１でＮ）、まず、駆動速度パターン決定制御が行われた後（Ｓ１２）、位相調整制御によって各プロセス駆動モータが停止される（Ｓ１３）。その後、各プロセス駆動モータがそれぞれ対応する駆動速度パターンで再駆動されてから（Ｓ１４）、タイミング調整制御が行われる（Ｓ１５）。
【０１３０】
この制御フローは、先に図１８に示した制御フローに、各プロセス駆動モータをそれぞれ対応する駆動速度パターンで駆動する制御を付加したものである。先に図１８に示した制御フローに代えて、先に図２１〜図２５に示した制御フローに、各プロセス駆動モータをそれぞれ対応する駆動速度パターンで駆動する制御を付加してもよい。この場合、各色についてそれぞれ、速度変動パターンを検出した後に駆動速度パターン決定制御を実施し、その後、決定した駆動速度パターンでプロセス駆動モータを駆動しながら、タイミング調整制御を実施すればよい。
【０１３１】
これまで、各感光体上の各色トナー像を中間転写ベルト４１に１次転写した後、記録体たる記録紙に一括２次転写する方式のプリンタについて説明した。かかる方式に代えて、各感光体上の各色トナー像を無端移動体たる紙搬送ベルトに保持される記録紙に直接重ね合わせて転写する方式を採用してもよい。この場合、タイミング調整制御や変動パターン検出制御の際には、各トナー像を紙搬送ベルトに転写して、光学センサユニットで検知すればよい。例えば、図２９に示すように、各感光体３Ｙ，Ｃ，Ｍ，Ｋ上のトナー像を、無端移動体たる紙搬送ベルト２０１の表面に保持されながら搬送される記録紙Ｐに直接重ね合わせて転写する方式の画像形成装置である。かかる方式でも、位置ズレ検知用画像や速度変動検知用画像については、各感光体３Ｙ，Ｃ，Ｍ，Ｋから紙搬送ベルト２０１に転写すれば、タイミング調整制御や変動パターン検出制御を行うことができる。
【０１３２】
以上、第１実施形態に係るプリンタにおいては、プリントジョブによって画像情報に基づく画像を記録体たる記録紙に形成した後、複数の駆動源の駆動たる各プロセス駆動モータをそれぞれ、変動パターン検出制御で検出した各感光体の速度変動パターンに基づいたタイミングで停止することで、各プロセス駆動モータを次に駆動する際における複数の像担持体たる各感光体の速度変動パターンの位相を予め調整する位相調整制御を実施するように、制御手段を構成している。かかる構成では、既に述べたように、プリントジョブの開始時に位相調整制御を行うことによるファーストプリント時間の長期化を回避することができる。
【０１３３】
また、変動パターン検出制御にて、基準像担持体たるＫ用の感光体についての速度変動検知用画像と、Ｙ，Ｃ，Ｍ用の感光体についての速度変動検知用画像とを、無端移動体たる中間転写ベルト４１の表面に対して表面移動方向と直交する方向であるベルト幅方向に並べて転写するように、Ｋ用の感光体に対する速度変動検知用画像の形成を、Ｋ用の感光体についてのポジションセンサ１３５Ｋによるマーキング１３４Ｋの検知タイミングに基づいて開始する一方で、Ｙ，Ｃ，Ｍ用の感光体に対する速度変動検知用画像の形成も、Ｋ用のマーキング１３４Ｋの検知タイミングに基づいて開始し、且つ、それら速度変動検知用画像の速度変動パターンの位相ズレに基づいて、位相調整制御におけるＹ，Ｃ，Ｍ用の感光体に対応するプロセス駆動モータの駆動停止タイミングを決定するように、制御手段を構成している。かかる構成では、既に述べたように、Ｙ，Ｃ，Ｍ用のマーキング（１３４Ｙ，Ｃ，Ｍ）の検知タイミングを参照することなく、Ｙ，Ｃ，Ｍ用の速度変動パターンと、Ｋ用の速度変動パターンとの位相ズレを検出することができる。更には、光学センサユニットとの対向位置における中間転写ベルト４１の速度によって生ずる時間ピッチ誤差を取り除いて、各感光体の速度変動パターンを精度良く検出することができる。
【０１３４】
また、変動パターン検出制御に先立ってタイミング調整制御たるタイミング調整制御を実施した後、変動パターン検出制御及び位相調整制御を実施して各プロセス駆動モータをそれぞれ停止し、更に各プロセス駆動モータを再駆動してから、タイミング調整制御を再び実施するように、制御手段を構成している。かかる構成では、既に述べたように、プロセスユニットの交換に起因して、各色の重ね合わせズレ量が交換前よりも大きくなっていても、その分だけ速度変動パターンの位相ズレの検出結果に誤差を発生させてしまうといった事態を引き起こすことなく、位相ズレを精度良く検出することができる。
【０１３５】
また、変動パターン検出制御を実施するのに先立ち、各プロセス駆動モータをそれぞれ駆動し、それらの駆動を、前回の変動パターン検出制御で求めた駆動停止タイミングに代えて、予め定められた基準タイミングで停止し、且つ、各プロセス駆動モータを再駆動してから、変動パターン検出制御を実施するように、制御手段を構成している。かかる構成では、各感光体をそれぞれ所定の回転位置から回転させて変動パターン検出制御を行うことで、各感光体間の回転位相の関係を明確に把握しながら各感光体の速度変動パターンを検出する。これにより、速度変動パターンの位相ズレを容易に求めることができる。
【０１３６】
また、各プロセス駆動モータについてそれぞれ、それに対応する位置ズレ検知用画像内の各トナー像の検知タイミングに基づいて、画像情報に基づくプリントジョブを行う際における駆動速度を個別に設定する速度設定制御をタイミング調整制御内で行うように、制御手段を構成している。かかる構成では、既に述べたように、１／２ドット未満の重ね合わせズレを、各感光体の線速差によって低減することができる。
【０１３７】
また、変動パターン検出制御を実施するときには、各プロセス駆動モータをそれぞれ同じ駆動速度で駆動するように、制御手段を構成している。かかる構成では、既に述べたように、変動パターン検出制御の際に各感光体を等速で駆動して、各感光体に線速差を設けることによる速度変動パターンの検知精度の悪化を回避することができる。
【０１３８】
また、各プロセスユニット、ひいては各感光体の交換作業が行われたことを検知する交換作業検知手段を設け、交換作業検知手段によって何れかの感光体についての交換作業が検知された場合に、画像情報に基づくプリントジョブを行うのに先立って、変動パターン検出制御とタイミング調整制御とを実施するように、制御手段を構成している。かかる構成では、感光体の交換に起因する重ね合わせズレの悪化を抑えることができる。
【０１３９】
また、像検知手段たる光学センサユニットからの出力信号に直交検波処理を施して速度変動パターンを解析するように、制御手段を構成している。かかる構成では、ゼロクロス、ピーク検知に比べて、少ないデータ数（パターン数）で、高精度に速度変動パターンを検知することができる。
【０１４０】
また、第１変形例に係るプリンタにおいては、脱着検知手段として、ユニット識別電子回路基板や制御手段等からなり、脱着検知後に装着されているプロセスユニット（感光体や駆動伝達回転部材）について、脱着検知前と同じものであるか否かを判定可能なものを用いている。かかる構成では、プロセスユニットの着脱が、一時的な取り外し後の再装着によるものなのか、交換によるものなのかを判定することができる。
【０１４１】
また、第１変形例に係るプリンタにおいては、脱着検知後に装着されているプロセスユニット（像担持体や駆動伝達回転部材）について、脱着検知前と同じものでないと判定した場合には、像担持体たる各感光体に対してそれぞれ、予め定められた可視像を形成して中間転写ベルト４１の表面に転写して作像性能検知用画像たるＹ，Ｍ，Ｃ，Ｋの階調パターン像を得た後、光学センサユニット１３６によるそれら階調パターン像の検知結果に基づいて可視像形成手段の作像条件を調整する作像条件調整制御を実施するように、制御手段を構成している。かかる構成では、既に述べたように、交換後のプロセスユニットの作像条件が不適切なままにタイミング調整制御や位相調整制御を行ってしまうことによる画像（ＰＶや速度変動検知用画像）の検出エラーや、誤調整の発生を回避することができる。
【０１４２】
また、第３変形例に係るプリンタにおいては、本体筺体として、複数の感光体のそれぞれや、駆動伝達回転部材のそれぞれ、を筺体内に対して出し入れする開口２０６と、これを閉じたり露出させたりする開閉扉たる前面扉２０５とを有するものを用いるとともに、前面扉２０５の開閉動作を検知する開閉動作検知手段たる開閉検知スイッチ２０７を設け、これによって開閉動作が検知された場合に、変動パターン検出制御と、位相調整制御と、タイミング調整制御たるタイミング調整制御とを実施するように、制御手段を構成している。かかる構成では、既に述べたように、交換後のプロセスユニットの作像条件が不適切なままにタイミング調整制御や位相調整制御を行ってしまうことによる画像（ＰＶや速度変動検知用画像）の検出エラーや、誤調整の発生を回避することができる。
【０１４３】
また、第１実施形態や各変形例に係るプリンタにおいては、複数の像担持体としてそれぞれ、潜像を担持することが可能な潜像担持体たる感光体を用いるとともに、可視像形成手段として、それぞれの感光体に潜像を書き込む潜像書込手段たる光書込ユニット２０と、それぞれの感光体を個別に一様帯電せしめる複数の帯電手段たる複数の帯電装置（５Ｙ等）と、一様帯電後のそれぞれの感光体に潜像を書き込む潜像書込手段たる光書込ユニット２０と、それぞれの感光体に担持された潜像を個別に現像する複数の現像手段たる複数の現像ユニット（例えば７Ｙ）と、それぞれの感光体におけるトナー像転写後の表面を個別にクリーニングする複数のクリーニング手段たる複数のドラムクリーニング装置（例えば４Ｙ）とを有するものを用いている。そして、それぞれの感光体を、帯電装置、現像ユニット及びクリーニング装置とともに共通の保持体たるケーシングに保持させて１つのユニットとして本体筐体に着脱可能にしたプロセスユニットとして構成している。かかる構成では、専門知識のない一般ユーザーであっても、感光体やその周辺装置の交換を容易に行うことができる。
【図面の簡単な説明】
【０１４４】
【図１】第１実施形態に係るプリンタを示す概略構成図。
【図２】同プリンタのＹ用のプロセスユニットを示す拡大構成図。
【図３】同プロセスユニットを示す斜視図。
【図４】同プロセスユニットの現像ユニットを示す斜視図。
【図５】同プリンタの筺体内に固定された駆動伝達系である本体側駆動伝達部を示す斜視図。
【図６】同本体側駆動伝達部を上方から示す平面図。
【図７】Ｙ用のプロセスユニットの一端部を示す部分斜視図。
【図８】同プリンタにおけるＹ用の感光体ギヤと、その周囲構成とを示す斜視図。
【図９】同プリンタにおける各感光体と、転写ユニットと、光書込ユニットとを示す側面図。
【図１０】同プリンタにおける中間転写ベルトの一部を、光学センサユニットとともに示す斜視図。
【図１１】位置ズレ検知用画像を示す拡大模式図。
【図１２】同プリンタの制御手段によって実施されるタイミング調整制御の処理内容を示すフローチャート。
【図１３】Ｋ用の速度変動検知用画像を示す拡大模式図。
【図１４】同プリンタの制御手段における回路構成を示すブロック図。
【図１５】感光体と中間転写ベルトとの当接による１次転写ニップを示す拡大模式図。
【図１６】（ａ）、（ｂ）、（ｃ）は、それぞれ、光学センサユニットからの出力パルスを示すグラフ。
【図１７】直交検波処理を行うための回路構成の一例を示すブロック図。
【図１８】プロセスユニットの脱着を検知した後、プリントジョブを行う前に実施する一連の制御フローを示すフローチャート。
【図１９】第１実施例に係るプリンタにおけるＹ用のプロセスユニット１Ｙを示す斜視図。
【図２０】何れかのプロセスユニットが交換された場合に、第１変形例に係るプリンタの制御手段によって実施されるプロセスユニット脱着検知後ルーチンの制御フローを示すフローチャート。
【図２１】第２変形例に係るプリンタの制御手段によって実施されるプロセスユニット脱着検知後ルーチンの制御フローの第１段階を示すフローチャート。
【図２２】同制御手段によって実施されるプロセスユニット脱着検知後ルーチンの制御フローの第２段階を示すフローチャート。
【図２３】同制御手段によって実施されるプロセスユニット脱着検知後ルーチンの制御フローの第３段階を示すフローチャート。
【図２４】同制御手段によって実施されるプロセスユニット脱着検知後ルーチンの制御フローの第４段階を示すフローチャート。
【図２５】同制御手段によって実施されるプロセスユニット脱着検知後ルーチンの制御フローの第５段階を示すフローチャート。
【図２６】第３変形例に係るプリンタを示す斜視図。
【図２７】参考形態に係るプリンタの制御手段によって実施されるプロセスユニット交換検知後ルーチンの制御フローを示すフローチャート。
【図２８】第２実施形態に係るプリンタの制御手段によって実施されるプロセスユニット交換検知後ルーチンの制御フローを示すフローチャート。
【図２９】各感光体上のトナー像を記録紙に直接重ね合わせて転写する方式のプリンタの一例を示す概略構成図。
【符号の説明】
【０１４５】
１Ｙ，Ｃ，Ｍ，Ｋ：プロセスユニット（可視像形成手段の一部）
３Ｙ，Ｃ，Ｍ，Ｋ：感光体（像担持体）
３Ｋ：Ｋ用の感光体（基準像担持体）
４０：転写ユニット（転写手段）
４１：中間転写ベルト（無端移動体）
２０：光書込ユニット（可視像形成手段の一部）
１２０Ｙ，Ｃ，Ｍ，Ｋ：プロセス駆動モータ（駆動源）
１３５Ｙ，Ｃ，Ｍ，Ｋ：ポジションセンサ（回転角度検知手段）
１３６：光学センサユニット（像検知手段）
Ｐ：記録紙（記録体）
ＰＶ：位置ズレ検知用画像
【図１】
0004820733.tif 000002
【図２】
0004820733.tif 000003
【図３】
0004820733.tif 000004
【図４】
0004820733.tif 000005
【図５】
0004820733.tif 000006
【図６】
0004820733.tif 000007
【図７】
0004820733.tif 000008
【図８】
0004820733.tif 000009
【図９】
0004820733.tif 000010
【図１０】
0004820733.tif 000011
【図１１】
0004820733.tif 000012
【図１２】
0004820733.tif 000013
【図１３】
0004820733.tif 000014
【図１４】
0004820733.tif 000015
【図１５】
0004820733.tif 000016
【図１６】
0004820733.tif 000017
【図１７】
0004820733.tif 000018
【図１８】
0004820733.tif 000019
【図１９】
0004820733.tif 000020
【図２０】
0004820733.tif 000021
【図２１】
0004820733.tif 000022
【図２２】
0004820733.tif 000023
【図２３】
0004820733.tif 000024
【図２４】
0004820733.tif 000025
【図２５】
0004820733.tif 000026
【図２６】
0004820733.tif 000027
【図２７】
0004820733.tif 000028
【図２８】
0004820733.tif 000029
【図２９】
0004820733.tif 000030